(57)【要約】【課題】本発明は複数のデータを表示する際の認識性を向上できるようにする。【解決手段】本発明は、ユーザのズームダイヤル１２を介したズーム変更操作により設定された表示レベルＬＶに応じて抽出閾値ＴＨＡを選択し、選択音楽コンテンツＭＣＳを中心として全コンテンツ列ＬＣ０から優先度評価値ＰＶが当該抽出閾値ＴＨＡ以上である抽出音楽コンテンツＭＣＡを抽出し、選択音楽コンテンツＭＣＳのサムネイル画像ＳＧを中心に、抽出音楽コンテンツＭＣＡに対応したサムネイル画像ＳＧと除外音楽コンテンツＭＣＺの存在を示す間引マークＭＴとをコンテンツ表示部８に表示することにより、優先度評価値ＰＶが高くユーザに好まれる可能性が高い音楽コンテンツＭＣのサムネイル画像ＳＧのみを、各音楽コンテンツＭＣの相対的な順序を維持したまま、ユーザが容易に視認し得る程度の大きさで提示することができる。【選択図】図１６
2007164298.tif 000002
【特許請求の範囲】
【請求項１】
複数のデータが所定順に整列された原データ列から所定の表示部に表示すべき抽出データの抽出条件を設定する抽出条件設定手段と、
上記抽出条件に従い上記原データ列から抽出した上記抽出データを上記所定順に整列した抽出データ列のうち所定範囲内の当該抽出データをそれぞれ所定の表示サイズで上記表示部に表示する抽出データ表示手段と
を具えることを特徴とするデータ表示装置。
【請求項２】
上記表示部に互いに隣接して表示された２つの上記抽出データが上記原データ列において互いに隣接していなかった場合、上記原データ列を構成するデータのうち上記２つの抽出データの間に整列されている上記データが間引かれていることを示す間引情報を、上記表示部における上記２つの抽出データの近傍に表示する間引情報表示手段と
を具えることを特徴とする請求項１に記載のデータ表示装置。
【請求項３】
上記間引情報表示手段は、
上記原データ列において上記２つの抽出データの間に整列されている上記データの数に応じて異なる間引情報を表示する
ことを特徴とする請求項２に記載のデータ表示装置。
【請求項４】
上記間引情報は、
上記原データ列において上記２つの抽出データの間に整列されている上記データの数を表す数字でなる
ことを特徴とする請求項３に記載のデータ表示装置。
【請求項５】
上記間引情報表示手段は、
上記間引情報を上記表示部における上記２つの抽出データの略中間に表示する
ことを特徴とする請求項２に記載のデータ表示装置。
【請求項６】
上記間引情報は、
上記表示部における上記抽出データ列の整列方向と略垂直な直線状図形でなる
ことを特徴とする請求項５に記載のデータ表示装置。
【請求項７】
上記間引情報は、
上記原データ列において上記２つの抽出データの間に整列されている上記データの数に応じた本数の上記直線状図形でなる
ことを特徴とする請求項６に記載のデータ表示装置。
【請求項８】
回転自在に設けられユーザによる回転量を操作指示として受け付ける回転操作手段と
を具え、
上記抽出条件設定手段は、
上記回転操作手段の回転量に応じて上記抽出条件を設定する
ことを特徴とする請求項１に記載のデータ表示装置。
【請求項９】
上記抽出条件設定手段は、
予め上記複数のデータにそれぞれ設定された評価値に対する所定の閾値を用いて上記抽出条件を設定する
ことを特徴とする請求項１に記載のデータ表示装置。
【請求項１０】
複数のデータが所定順に整列された原データ列から所定の表示部に表示すべき抽出データの抽出条件を設定する抽出条件設定ステップと、
上記抽出条件に従い上記原データ列から抽出した上記抽出データを上記所定順に整列した抽出データ列のうち所定範囲内の当該抽出データをそれぞれ所定の表示サイズで上記表示部に表示する抽出データ表示ステップと
を具えることを特徴とするデータ表示方法。
【請求項１１】
情報処理装置に対して、
複数のデータが所定順に整列された原データ列から所定の表示部に表示すべき抽出データの抽出条件を設定する抽出条件設定ステップと、
上記抽出条件に従い上記原データ列から抽出した上記抽出データを上記所定順に整列した抽出データ列のうち所定範囲内の当該抽出データをそれぞれ所定の表示サイズで上記表示部に表示する抽出データ表示ステップと
を実行させることを特徴とするデータ表示プログラム。
【請求項１２】
表示部に表示するデータを入力手段によって選択する選択操作と、当該選択操作に応じた情報処理装置におけるインタフェース動作とを当該表示部に画像として表示しながら行うグラフィカルユーザインタフェースであって、
複数の上記データが所定順に整列された原データ列から上記表示部に表示すべき抽出データの抽出条件を設定し、
上記抽出条件に従い上記原データ列から抽出した上記抽出データを上記所定順に整列した抽出データ列のうち所定範囲内の当該抽出データをそれぞれ所定の表示サイズで上記表示部に表示する
ことを特徴とするグラフィカルユーザインタフェース。
【請求項１３】
複数のデータが所定順に整列された原データ列から所定の表示部に表示しない除外データを間引くための間引条件を設定する間引条件設定手段と、
上記間引条件に従い上記原データ列から上記除外データを間引いた抽出データを上記所定順に整列した抽出データ列のうち、所定の注目データを中心とした所定範囲内の各データをそれぞれ所定の表示サイズで上記表示部に表示する抽出データ表示手段と
を具えることを特徴とするデータ表示装置。
【発明の詳細な説明】
【技術分野】
【０００１】
本発明はデータ表示装置、データ表示方法、データ表示プログラム及びグラフィカルユーザインタフェースに関し、例えば大量の音楽データの中からユーザが所望する音楽データを検索するためのユーザインタフェースを提供する場合に適用して好適なものである。
【背景技術】
【０００２】
近年、音楽や映像等に関する大量のディジタルデータ（すなわちコンテンツ）を大容量のハードディスク等に格納し、又は高速ネットワーク等を介して外部のサーバ等から取得し、ユーザにより指定されたコンテンツを再生するようになされたコンテンツ再生装置が普及しつつある。
【０００３】
このようなコンテンツ再生装置の中には、コンテンツ（メディア）の種類毎にコンテンツを示すサムネイルを一列ずつ表示することにより、コンテンツを容易に選択し得るようになされたものが提案されている（例えば、特許文献１参照）。
【特許文献１】特開２００４−３５６７７４公報
【発明の開示】
【発明が解決しようとする課題】
【０００４】
ところで音楽コンテンツを再生するオーディオ装置の場合、内蔵するハードディスクに同一種類のコンテンツでなる大量の（例えば数千曲から数万曲の）音楽コンテンツを格納し得るものの、サムネイルを表示する表示パネル等には画素数等の制約によりサムネイルの大きさ及び同時表示数が制限されてしまう。
【０００５】
すなわちかかるオーディオ装置は、ユーザに音楽コンテンツを選択させる際、サムネイルの同時表示数を少なくした場合には、ユーザに各サムネイルを容易に認識させ得るものの、移動やスクロール等の操作回数を増加させることになり、煩雑な操作を強いることになるという問題があった。
【０００６】
またオーディオ装置は、サムネイルの同時表示数を増加させた場合には、表示パネルの制約によりサムネイルの個々のサイズを縮小することになるため、ユーザがサムネイルを認識し難くなり所望のコンテンツを容易に探索し得ないという問題があった。
【０００７】
本発明は以上の点を考慮してなされたもので、複数のデータを表示する際の認識性を向上し得るデータ表示装置、データ表示方法、データ表示プログラム及びグラフィカルユーザインタフェースを提案しようとするものである。
【課題を解決するための手段】
【０００８】
かかる課題を解決するため本発明のデータ表示装置、データ表示方法及びデータ表示プログラムにおいては、複数のデータが所定順に整列された原データ列から所定の表示部に表示すべき抽出データの抽出条件を設定し、抽出条件に従い原データ列から抽出した抽出データを所定順に整列した抽出データ列のうち所定範囲内の当該抽出データをそれぞれ所定の表示サイズで表示部に表示するようにした。
【０００９】
これにより、全データのうち抽出条件に適合し抽出された抽出データのみを、原データ列における各抽出データの相対的な順序を維持したまま所定の表示サイズで表示することができる。
【００１０】
また本発明のグラフィカルユーザインタフェースにおいては、表示部に表示するデータを入力手段によって選択する選択操作と、当該選択操作に応じた情報処理装置におけるインタフェース動作とを当該表示部に画像として表示しながら行うグラフィカルユーザインタフェースであって、複数のデータが所定順に整列された原データ列から上記表示部に表示すべき抽出データの抽出条件を設定し、抽出条件に従い原データ列から抽出した抽出データを所定順に整列した抽出データ列のうち所定範囲内の当該抽出データをそれぞれ所定の表示サイズで上記表示部に表示するようにした。
【００１１】
これにより、入力操作に応じて、全データのうち抽出条件に適合し抽出された抽出データのみを、原データ列における各抽出データの相対的な順序を維持したまま所定の表示サイズで表示することができる。
【００１２】
さらに本発明のデータ表示装置においては、複数のデータが所定順に整列された原データ列から所定の表示部に表示しない除外データを間引くための間引条件を設定する間引条件設定手段と、間引条件に従い原データ列から除外データを間引いた抽出データを所定順に整列した抽出データ列のうち、所定の注目データを中心とした所定範囲内の各データをそれぞれ所定の表示サイズで表示部に表示する抽出データ表示手段とを設けるようにした。
【００１３】
これにより、全データのうち除外データとして間引かれずに残った抽出データのみを、原データ列における各抽出データの相対的な順序を維持したまま所定の表示サイズで表示することができる。
【発明の効果】
【００１４】
本発明によれば、全データのうち抽出条件に適合し抽出された抽出データのみを、原データ列における各抽出データの相対的な順序を維持したまま所定の表示サイズで表示することができ、かくして複数のデータを表示する際の認識性を向上し得るデータ表示装置、データ表示方法、データ表示プログラムを実現できる。
【００１５】
また本発明によれば、入力操作に応じて、全データのうち抽出条件に適合し抽出された抽出データのみを、原データ列における各抽出データの相対的な順序を維持したまま所定の表示サイズで表示することができ、かくして複数のデータを表示する際の認識性を向上し得るグラフィカルユーザインタフェースを実現できる。
【００１６】
さらに本発明によれば、全データのうち除外データとして間引かれずに残った抽出データのみを、原データ列における各抽出データの相対的な順序を維持したまま所定の表示サイズで表示することができ、かくして複数のデータを表示する際の認識性を向上し得るデータ表示装置を実現できる。
【発明を実施するための最良の形態】
【００１７】
以下、図面について、本発明の一実施の形態を詳述する。
【００１８】
（１）オーディオ装置の全体構成
図１に示すように、１は全体として本発明のオーディオ装置を示し、筐体２の右側側面２Ａに設けられた挿入口３からＤＶＤ(Digital Versatile Disc)やＣＤ(Compact Disc)等の光ディスク４を装填したり、その挿入口３の下方に設けられた差込口５からメモリースティック（ソニー株式会社の登録商標）等の小型メモリーカード６を差し込むことができるようになされている。
【００１９】
またオーディオ装置１は、正面のフロントパネル７に、液晶ディスプレイ等でなるコンテンツ表示部８、当該コンテンツ表示部８の右隣に設けられた操作ボタン群配置部１０、当該コンテンツ表示部８及び操作ボタン群配置部１０の下方右側に、音楽コンテンツを選択するための選択ダイヤル１１及び当該選択ダイヤル１１と重ねられかつ選択ダイヤル１１よりも一回り大きなズームダイヤル１２が設けられている。
【００２０】
なおオーディオ装置１は、コンテンツ表示部８及び操作ボタン群配置部１０の下方に音楽コンテンツを年代順（時系列）に提示するための液晶ディスプレイ等でなる時間軸バー表示部ＴＢ１及びＴＢ２（後述する）が設けられている。
【００２１】
このオーディオ装置１では、挿入口３から装填された光ディスク４や、差込口５から差し込まれた小型メモリーカード６に格納されている音楽コンテンツを再生し、当該オーディオ装置１に接続されたスピーカ（図示せず）から出力し得ると共に、光ディスク４や小型メモリーカード６に格納されている音楽コンテンツを内蔵のハードディスクドライブに取り込むことができるようになされている。
【００２２】
さらにオーディオ装置１は、ネットワークケーブルを介してインターネットと接続できるようになされており、インターネット上の種々の外部サーバからユーザ所望の音楽コンテンツをダウンロードして内蔵のハードディスクドライブに取り込み得るようにもなされている。
【００２３】
なお操作ボタン群配置部１０には、選択ダイヤル１１によって選択された音楽コンテンツを再生又は一時停止するための再生ボタン９Ａ、音楽コンテンツをスキップ操作するためのスキップボタン９Ｂ、ボリューム調整ボタン９Ｃ、録音ボタン９Ｄ、タイマー設定ボタン９Ｅ、ユーザレーティングボタン９Ｆ（後述する）、各種モードを切り換えるメニューボタン９Ｇ、各種モード毎に機能が割り当てられる任意ボタン９Ｈ〜９Ｋ及びキャンセルボタン９Ｌが操作ボタン群９として設けられており、オーディオ装置１ではこれら操作ボタン群９に対するユーザ操作に応じた各種処理を実行するようになされている。
【００２４】
（２）オーディオ装置の回路構成
（２−１）回路構成
図２に示すように、オーディオ装置１は制御部２０により全体を統括制御するようになされている。制御部２０は、ＣＰＵ（Central Processing Unit）２０Ａによりバス２１を介してＲＯＭ（Read Only Memory）２０Ｂから基本プログラムやコンテンツ表示プログラム等の各種プログラムを読み出し、これをＲＡＭ（Random Access Memory）２０Ｃに展開し実行することにより、コンテンツ表示処理等の各種処理を実行する。
【００２５】
実際上、制御部２０は、挿入口３（図１）を介してＤＶＤドライブ２３に装填された光ディスク４（図１）から音楽データをリッピングして例えばＭＰ３(MPEG-1 Audio Layer 3)や、ＡＴＲＡＣ３（Adaptive TRansform Acoustic Coding 3）等の方式でエンコードすることにより音楽コンテンツＭＣを生成し、また差込口５（図１）を介してメモリーカードドライブ２４に差し込まれた小型メモリーカード６からエンコード済みの音楽コンテンツＭＣを直接読み出し、これらの音楽コンテンツＭＣをハードディスクドライブ（ＨＤＤ）２２に格納するようになされている。
【００２６】
また制御部２０は、ネットワークインタフェース２５を介して接続された外部のコンテンツサーバ（図示せず）から音楽コンテンツＭＣを取得し、これをハードディスクドライブ２２に格納し得るようにもなされている。
【００２７】
さらに制御部２０は、インターネットを介して接続された外部のコンテンツサーバ等から当該音楽コンテンツＭＣのジャケット写真でなるサムネイル画像ＳＧと当該音楽コンテンツＭＣの曲名、アーティスト名、発売年月日等でなるメタデータＭＴＤとを取得し、また当該サムネイル画像ＳＧを全体的に縮小し、さらに水平方向に圧縮した状態のコンテンツアイコンＣＡを生成し、これらを当該音楽コンテンツＭＣと対応付けてハードディスクドライブ２２に格納するようになされている。
【００２８】
因みにハードディスクドライブ２２は、例えば数千曲から数万曲といった大量の音楽コンテンツＭＣを格納し得るような記憶容量を有している。
【００２９】
表示部２６のビデオコントローラ２６Ａは、制御部２０からバス２１を介して供給される表示命令を取得し、当該表示命令に応じて音楽コンテンツＭＣに対応したサムネイル画像ＳＧをフロントパネル７のコンテンツ表示部８に複数表示させると共に、コンテンツアイコンＣＡを時間軸バー表示部ＴＢ１及びＴＢ２に表示させ、又は当該表示命令に応じてその表示内容を更新するようになされている。
【００３０】
操作入力部２７は、ユーザにより選択ダイヤル１１が右方向又は左方向へ回転操作されると（以下、この操作を選択操作と呼ぶ）、選択ダイヤル１１内部に設けられたロータリーエンコーダ（図示せず）によりその回転操作量に応じた回転信号ＳＲ１を生成し、これを入力インタフェース２７Ａからバス２１経由で制御部２０へ送出する。
【００３１】
これに応じて制御部２０は、コンテンツ表示部８においてフォーカスを当てるべきサムネイル画像ＳＧを右隣又は左隣のサムネイル画像ＳＧに切り換えることにより音楽コンテンツＭＣの選択先を変更するようになされている（詳しくは後述する）。
【００３２】
また操作入力部２７は、ユーザによりズームダイヤル１２が右方向又は左方向へ回転操作されると（以下、この操作をズーム変更操作と呼ぶ）、ズームダイヤル１２内部に設けられたロータリーエンコーダ（図示せず）によりその回転操作量に応じた回転信号ＳＲ２を生成し、これを入力インタフェース２７Ａからバス２１経由で制御部２０へ送出する。
【００３３】
これに応じて制御部２０は、ハードディスクドライブ２２に格納された音楽コンテンツＭＣに対応する全てのサムネイル画像ＳＧのうちコンテンツ表示部８に表示すべきサムネイル画像ＳＧの抽出基準を変更し、当該コンテンツ表示部８に表示するサムネイル画像ＳＧを更新すると共に、時間軸バー表示部ＴＢ１及びＴＢ２に表示するコンテンツアイコンＣＡの表示パターンを更新するようになされている（詳しくは後述する）。
【００３４】
さらに操作入力部２７は、操作ボタン群９に対する押下操作がなされると、それに応じて押下信号ＳＵを生成し、これを入力インタフェース２７Ａからバス２１経由で制御部２０へ送出する。この場合、制御部２０は、実際に押下された操作ボタン群９（すなわち再生ボタン９Ａ〜キャンセルボタン９Ｌ）に応じた再生処理等の各種処理を実行するようになされている。
【００３５】
制御部２０は、音楽コンテンツＭＣを再生していない状態で操作ボタン群９の再生ボタン９Ａが押下操作されると、フォーカスが当てられた（すなわち選択されている）サムネイル画像ＳＧと対応付けられている音楽コンテンツＭＣをハードディスクドライブ２２から読み出し、これをバス２１経由でオーディオコントローラ２８へ送出するようになされている。
【００３６】
オーディオコントローラ２８は、ハードディスクドライブ２２から読み出された音楽コンテンツＭＣをバス２１経由で取得し、当該音楽コンテンツＭＣのエンコード方式に対応したデコード処理やＤ／Ａ（Digital/Analog）変換処理等を行うことにより再生信号ＳＡを生成する。続いてオーディオコントローラ２８は、再生信号ＳＡをアンプ２９により増幅させスピーカ３０へ送出することにより、当該スピーカ３０から当該再生信号に基づいた音を出力させるようになされている。
【００３７】
このようにオーディオ装置１は、ハードディスクドライブ２２に格納した音楽コンテンツＭＣのサムネイル画像ＳＧをコンテンツ表示部８等に表示すると共に、操作入力部２７による音楽コンテンツＭＣの選択操作やズーム変更操作に応じて当該コンテンツ表示部８等に表示する表示内容を更新し、選択された音楽コンテンツＭＣを再生するようになされている。
【００３８】
（２−２）オーディオ装置の機能構成
ここで、オーディオ装置１におけるサムネイル画像ＳＧの表示に関する機能を分類した機能構成を図３に示す。
【００３９】
ハードディスクドライブ２２は、コンテンツ蓄積部２２Ａに音楽コンテンツＭＣ、その音楽コンテンツＭＣに対応したサムネイル画像ＳＧ及びコンテンツアイコンＣＡを蓄積すると共に、当該音楽コンテンツＭＣに関する曲名、アーティスト名、発売年月日及び年間ランキングの順位等の各種メタデータＭＴＤをコンテンツメタデータ蓄積部２２Ｂに蓄積するようになされている。
【００４０】
実際上ハードディスクドライブ２２は、図４（Ａ）に示すコンテンツデータ管理テーブルＴＢＬ１により、コンテンツ蓄積部２２Ａに蓄積した音楽コンテンツＭＣ、そのサムネイル画像ＳＧ及びコンテンツアイコンＣＡをコンテンツＩＤにより示された所定のコンテンツ名からなるファイル単位で管理するようになされており、また図４（Ｂ）に示すコンテンツメタデータ管理テーブルＴＢＬ２により、コンテンツメタデータ蓄積部２２Ｂに蓄積した各種メタデータＭＴＤをコンテンツＩＤにより示されたコンテンツメタデータ名からなるファイル単位で管理するようになされている。
【００４１】
制御部２０の表示条件設定部２０Ｄは、操作入力部２７から選択ダイヤル２７から選択ダイヤル１１による選択操作又はズームダイヤル１２によるズーム変更操作の操作指示を受けると、当該操作指示に応じてコンテンツ表示部８に表示すべきサムネイル画像ＳＧ並びに時間軸バー表示部ＴＢ１及びＴＢ２に表示すべきコンテンツアイコンＣＡの表示条件を設定し、これを配置部２０Ｅへ供給する。
【００４２】
制御部２０の配置部２０Ｅは、表示条件設定部２０Ｄから表示条件を取得すると、コンテンツ管理部２０Ｆを介してハードディスクドライブ２２のコンテンツ蓄積部２２Ａから当該表示条件を満たす各音楽コンテンツＭＣのサムネイル画像ＳＧを取得すると共に、コンテンツメタデータ管理部２０Ｇを介してハードディスクドライブ２２のコンテンツメタデータ蓄積部２２Ｂから当該表示条件を満たす各音楽コンテンツＭＣのメタデータＭＴＤを取得するようになされている。
【００４３】
配置部２０Ｅは、各音楽コンテンツＭＣのメタデータＭＴＤ及びサムネイル画像ＳＧを基に、コンテンツ表示配置部２０ＥＡによりコンテンツ表示部８に表示すべきサムネイル画像ＳＧを選択して配置すると共に、時間軸バー配置部２０ＥＢにより時間軸バー表示部ＴＢ１及びＴＢ２に表示するコンテンツアイコンＣＡを配置することにより得られる表示画像データＤＤを表示部２６へ送出する。
【００４４】
これに応じて表示部２６は、表示画像データＤＤに基づき、コンテンツ表示部８にサムネイル画像ＳＧが配置され、並びに時間軸バー表示部ＴＢ１及び又はＴＢ２にそれぞれコンテンツアイコンＣＡが配置された表示画像を表示させるようになされている。
【００４５】
（３）フロントパネル構成
本発明のオーディオ装置１においては、内蔵のハードディスクドライブ２２に数千曲から数万曲といった大量の音楽コンテンツＭＣを格納し得るような記憶容量を有しているため、これら大量の音楽コンテンツＭＣの中から曲名やアーティスト名に頼ることなくユーザ所望の音楽コンテンツＭＣを容易に検索し得ることを考慮したフロントパネル７が用いられている。
【００４６】
（３−１）全曲表示モード
図５に示すように、オーディオ装置１のフロントパネル７には、音楽コンテンツのジャケット写真等が表されたサムネイル画像ＳＧを複数枚（この場合、５枚）表示するコンテンツ表示部８と、ハードディスクドライブ２２に格納されている全ての音楽コンテンツＭＣにそれぞれ対応したコンテンツアイコンＣＡ１〜ＣＡｎが発売年月日順に並べられる時間軸バー表示部ＴＢ１と、コンテンツ検索操作時に所定の規則に従って優先度の低い音楽コンテンツＭＣを間引いたときの当該間引かれた音楽コンテンツＭＣに対応するコンテンツアイコンＣＡが発売年月日順に並べられる時間軸バー表示部ＴＢ２とが設けられている。
【００４７】
ここで全曲表示モードとは、時間軸バー表示部ＴＢ１に対して全てのコンテンツアイコンＣＡ１〜ＣＡｎが発売年月日順に並べられて表示され、時間軸バー表示部ＴＢ２に対してはコンテンツアイコンＣＡが一切表示されることのない状態をいう。
【００４８】
コンテンツ表示部８は、選択ダイヤル１１に対するユーザのダイヤル操作に応じて現在選択されている音楽コンテンツＭＣにフォーカスを当てたことを、例えば赤色のフォーカス枠ＦＣ１によって音楽コンテンツＭＣのサムネイル画像ＳＧを囲むことにより視覚的に提示し、かつそのフォーカス枠ＦＣ１から上側に導かれた赤色のアンダーラインＵＬ１上に発売年及び曲名（この場合、「１９８１年／秋色」）を表示すると共に、フォーカス枠ＦＣ１から下側に導かれた赤色のアンダーラインＵＬ２下にアーティスト名（この場合「ゆんず」）を表示するようになされている。
【００４９】
これによりオーディオ装置１は、コンテンツ表示部８のフォーカス枠ＦＣ１を介して選択ダイヤル１１により現在選択中の音楽コンテンツＭＣの内容を、サムネイル画像ＳＧとアンダーラインＵＬ１上の文字及びＵＬ２下の文字とによって容易に認識させ得るようになされている。
【００５０】
特にオーディオ装置１では、音楽コンテンツＭＣをサムネイル画像ＳＧによるイメージとして提示することができるので、そのイメージを記憶しているユーザにとっては曲名やアーティスト名を記憶していない場合であっても、その音楽コンテンツＭＣが検索対象であるか否かを容易に判別させ得ると共に、このような音楽コンテンツＭＣがあったことをユーザに思い起こさせ、新たに検索対象に含ませ得るようになされている。
【００５１】
また時間軸バー表示部ＴＢ１は、全曲表示モードにおいて、コンテンツアイコンＣＡ１〜ＣＡｎを発売年月日順の時系列に並べて全て表示するようになされており、それに合わせてコンテンツ表示部８はコンテンツアイコンＣＡ１〜ＣＡｎの発売年月日に応じた年度を表す文字列ＴＸ１〜ＴＸ３（この場合、▽１９６８、▽１９８１、▽１９９０）を当該コンテンツ表示部８の下部領域に表示するようになされている。
【００５２】
また時間軸バー表示部ＴＢ１は、コンテンツ表示部８に表示される５枚のサムネイル画像ＳＧに相当する５個のコンテンツアイコンＣＡを例えば赤色のフォーカス枠ＦＣ２によって囲むことにより、フォーカス枠ＦＣ２とコンテンツ表示部８の文字列ＴＸ１〜ＴＸ３とを介して、現在フォーカス枠ＦＣ１によって選択中の音楽コンテンツＭＣが時間軸上のどの辺り（どの年代）に位置するのかをユーザに対して視覚的に提示するようになされている。
【００５３】
特に、図６に示すように時間軸バー表示部ＴＢ１では、フォーカス枠ＦＣ２によって現在、コンテンツ表示部８に表示されている５枚のサムネイル画像ＳＧに相当する５個のコンテンツアイコンＣＡを囲むと共に、その中でも現在フォーカス枠ＦＣ１（図５）によって選択されているサムネイル画像ＳＧに対応するコンテンツアイコンＣＡを赤色のフォーカス枠ＦＣ３によって囲み、かつそのコンテンツアイコンＣＡ全体を黄色に色付けした状態で表示するようになされている。
【００５４】
これによりオーディオ装置１では、コンテンツ表示部８に表示する５枚のサムネイル画像ＳＧによるイメージと、時間軸バー表示部ＴＢ１のフォーカス枠ＦＣ２によって表示する５個のコンテンツアイコンＣＡによるイメージとを一致させることができるので、５枚のサムネイル画像ＳＧに相当する音楽コンテンツＭＣが時間軸バー表示部ＴＢ１の中でどの辺の年代に相当するのかを瞬時かつ直感的に認識させ得るようになされている。
【００５５】
なおオーディオ装置１は、フォーカス枠ＦＣ１によってサムネイル画像ＳＧが選択されたときから、当該サムネイル画像ＳＧの音楽コンテンツＭＣを再生し、当該音楽コンテンツＭＣの音声をユーザに聴取させ得るようになされている。
【００５６】
従ってオーディオ装置１は、音楽コンテンツＭＣのサムネイル画像ＳＧと、発売年月日等の年代と、更には実際の音声をも音楽コンテンツＭＣを検索する際の参考にさせることができるので、曲名及びアーティスト名が解らないユーザに対してもユーザ所望の音楽コンテンツＭＣを検索させ得るようになされている。
【００５７】
（３−２）音楽コンテンツの選択表示
また図７に示すようにオーディオ装置１の制御部２０は、ユーザの選択ダイヤル１１に対する最小回転単位のダイヤル操作に応じてコンテンツ表示部８のサムネイル画像ＳＧを１コマ分だけ移動させるようになされている。
【００５８】
これによりオーディオ装置１の制御部２０は、コンテンツ表示部８のフォーカス枠ＦＣ１によって選択されるサムネイル画像ＳＧを１コマ分だけずらして表示すると共に、それに合わせて時間軸バー表示部ＦＣ２によって囲まれる５個のコンテンツアイコンＣＡについても１個分だけずらして表示するようになされている。
【００５９】
このときもオーディオ装置１の制御部２０は、フォーカス枠ＦＣ１によって選択されたサムネイル画像ＳＧに対応する音楽コンテンツＭＣの発売年月日及び曲名（この場合「１９８０年／こんにちは夏の日」）をアンダーラインＵＬ１上に表示すると共に、アーティスト名（この場合「山上達弘」）をアンダーラインＵＬ２下に表示するようになされている。
【００６０】
なおオーディオ装置１の制御部２０は、フォーカス枠ＦＣ１によってサムネイル画像ＳＧが変更されたときから、その変更後におけるサムネイル画像ＳＧの音楽コンテンツＭＣを再生し、当該音楽コンテンツＭＣの音声をユーザに聴取させ得るようになされている。
【００６１】
従ってオーディオ装置１の制御部２０は、フォーカス枠ＦＣ１によってサムネイル画像ＳＧを変更する度に、そのときフォーカス枠ＦＣ１で囲まれているサムネイル画像ＳＧに対応する音楽コンテンツＭＣの音声を出力することができるので、所望の音楽コンテンツＭＣを検索させる際の重要な要素として音楽コンテンツＭＣの音声を提供し得るようになされている。
【００６２】
ところでオーディオ装置１の制御部２０は、全曲表示モードで選択ダイヤル１１によるダイヤル操作に応じてコンテンツ表示部８のサムネイル画像ＳＧを順次移動させるが、隣合う２つのサムネイル画像ＳＧに対応した音楽コンテンツＭＣの発売年月日が１日違いの場合もあれば、１年違いの場合も有り得るため、どの程度ダイヤル操作すれば、どの程度年代が進むか若しくは戻るか判り難いという点があり、それについても以降のズーム変更表示を行うことにより解消し得るようになされている。
【００６３】
（３−３）ズーム変更表示
続いて、オーディオ装置１の制御部２０は、コンテンツ表示部８のサムネイル画像ＳＧ（図７）がフォーカス枠ＦＣ１によって選択されている状態から、ユーザによってズームダイヤル１２が所定回転量分だけ右方向へダイヤル操作された場合、図８に示すように、ハードディスクドライブ２２のコンテンツメタデータ蓄積部２２Ｂから読み出したメタデータＭＴＤに基づいて年間ランキングの順位が１位の音楽コンテンツＭＣだけを抽出し、その選択した音楽コンテンツＭＣに対応するサムネイル画像ＳＧだけをコンテンツ蓄積部２２Ａから読み出し、これらを全サムネイル画像ＳＧの中からズームアウト表示した抽出結果としてコンテンツ表示部８に表示するようになされている。
【００６４】
このとき同時に制御部２０は、年間ランキングの順位が１位の音楽コンテンツＭＣに対応するコンテンツアイコンＣＡだけを時間軸バー表示部ＴＢ１に残して表示すると共に、当該時間軸バー表示部ＴＢ１に表示しなかった他のコンテンツアイコンＣＡについては時間軸バー表示部ＴＢ２に移動して表示するようになされている。
【００６５】
すなわち制御部２０は、コンテンツ表示部８において各サムネイル画像ＳＧの左上部にその音楽コンテンツＭＣの年度を表示することにより、年間ランキングの順位が１位の音楽コンテンツＭＣを各年度の代表曲としてそのサムネイル画像ＳＧにより示し、その中でもフォーカス枠ＦＣ１によって囲まれたサムネイル画像ＳＧについては、アンダーラインＵＬ１上に発売年及び曲名（この場合、「１９８０年／こんにちは夏の日」）を表示すると共に、アンダーラインＵＬ２下にアーティスト名（この場合「山上達弘」）を表示する。
【００６６】
因みに、この場合にはフォーカス枠ＦＣ１によって囲まれたサムネイル画像ＳＧに対応する音楽コンテンツＭＣが年度代表曲であるが、ズーム変更操作前の時点でフォーカス枠ＦＣ１によって選択されているサムネイル画像ＳＧに対応する音楽コンテンツＭＣについては、年間ランキングの順位が１位であるか否かに拘わらず、ズーム変更操作後においてもそのサムネイル画像ＳＧをコンテンツ表示部８に終始表示し続けるようになされている。
【００６７】
これは、ユーザがフォーカス枠ＦＣ１によって選択中の音楽コンテンツＭＣについては、終始優先して表示することがオーディオ装置１のデフォルトとして設定されているためである。従ってオーディオ装置１の制御部２０は、選択ダイヤル１１に対する選択操作よってフォーカス枠ＦＣ１により囲われている選択中のサムネイル画像ＳＧが変更されると、この場合にはフォーカス枠ＦＣ１によって囲われるサムネイル画像ＳＧをズームアウト表示後における右隣若しくは左隣のサムネイル画像ＳＧに変更するようになされている。
【００６８】
ところで、オーディオ装置１の制御部２０は、年間ランキングの順位が１位の音楽コンテンツＭＣのサムネイル画像ＳＧをコンテンツ表示部８に表示したことと連動して、年間ランキングの順位が１位の音楽コンテンツＭＣに対応するコンテンツアイコンＣＡだけを、その時系列を変更することなく時間軸バー表示部ＴＢ１に残して表示し、年間ランキングの順位が１位以外の音楽コンテンツＭＣに対応するコンテンツアイコンＣＡについては時間軸バー表示部ＴＢ１から間引き、その時系列を変更することなく時間軸バー表示部ＴＢ２へ移動して表示する。
【００６９】
このためオーディオ装置１の制御部２０は、時間軸バー表示部ＴＢ１のフォーカス枠ＦＣ２によって囲われた５個のコンテンツアイコンＣＡの配置状態と現在フォーカス枠ＦＣ３によって選択中のコンテンツアイコンＣＡとをユーザに対して目視確認させることにより、コンテンツ表示部８にズームアウト表示した年度代表曲の音楽コンテンツＭＣが、時間軸バー表示部ＴＢ１の全範囲の中でどの辺りの年代に位置しているかを認識させ得ると共に、年度代表曲ではないために間引かれた音楽コンテンツＭＣが多数存在することをコンテンツアイコンＣＡ間の空白部分によりユーザに対して視覚的かつ直感的に認識させ得るようになされている。
【００７０】
すなわちオーディオ装置１の制御部２０は、時間軸バー表示部ＴＢ１及び時間軸バー表示部ＴＢ２におけるコンテンツアイコンＣＡの配置状態をフォーカス枠ＦＣ２及びＦＣ４を介してユーザに目視確認させることにより、ズーム変更操作によって抽出された音楽コンテンツＭＣの年代別分布や、当該ズーム変更操作によって抽出されることなく間引かれた音楽コンテンツＭＣの年代別分布をユーザに対して直感的に認識させることができる。
【００７１】
従ってオーディオ装置１では、ユーザによるズームダイヤル１２のダイヤル操作によって、コンテンツ表示部８に表示すべきサムネイル画像ＳＧを年間ランキングの順位が１位の音楽コンテンツＭＣに限定してズームアウト表示することができるので、ユーザ所望の音楽コンテンツＭＣを検索する際に年度代表曲だけに絞って短時間かつ容易に検索させることが可能となる。
【００７２】
特にオーディオ装置１では、コンテンツ表示部８に各年度の代表曲の音楽コンテンツＭＣに対応したサムネイル画像ＳＧだけを表示しているため、ユーザによる選択ダイヤル１１のダイヤル操作に応じて、フォーカス枠ＦＣ１により選択中のサムネイル画像ＳＧを１コマ分だけ移動させれば、必ず前年度又は次年度の音楽コンテンツＭＣに対応したサムネイル画像ＳＧを表示することになるので、全曲表示モードで選択ダイヤル１１をダイヤル操作させることにより年度代表曲を検索させるときに比べて、操作性を格段に向上させることができる。
【００７３】
また、このときユーザは、年度代表曲の音楽コンテンツＭＣに対応するサムネイル画像ＳＧを目視確認することによって、曲名及びアーティスト名が解らないユーザ所望の音楽コンテンツＭＣを検索する際、その当時のサムネイル画像ＳＧをコンテンツ検索操作時の道標として用いることもできる。
【００７４】
さらにオーディオ装置１では、ズームアウト表示の前後においてサムネイル画像ＳＧの大きさや間隔を変更しないようにしたことにより、視覚的な見易さを一切損なうことなく、またズームアウト表示の前後において視覚的な違和感を生じさせることなく、ユーザ所望の音楽コンテンツＭＣに対する検索作業を実行させ得るようになされている。
【００７５】
（３−４）ズームアウト表示後における音楽コンテンツの選択表示
また図９に示すようにオーディオ装置１の制御部２０は、年間ランキングの順位が１位の音楽コンテンツＭＣのサムネイル画像ＳＧだけをコンテンツ表示部８にズームアウト表示した状態から、ユーザの選択ダイヤル１１に対する最小回転単位のダイヤル操作に応じてコンテンツ表示部８のサムネイル画像ＳＧを１コマ分だけ移動させると、フォーカス枠ＦＣ１によって囲まれるサムネイル画像ＳＧを１コマ分だけずらして表示する。
【００７６】
このとき制御部２０は、時間軸バー表示部ＴＢ１のフォーカス枠ＦＣ２によって囲まれる５個のコンテンツアイコンＣＡについても１個分だけずらして表示すると共に、時間軸バー表示部ＴＢ２のフォーカス枠ＦＣ４によって囲まれる複数個のコンテンツアイコンＣＡについてもフォーカス枠ＦＣ２に合わせて数個分だけずらして表示するようになされている。
【００７７】
これによりオーディオ装置１では、コンテンツ表示部８にズームアウト表示された５枚のサムネイル画像ＳＧによるイメージと、時間軸バー表示部ＴＢ１のフォーカス枠ＦＣ２によって表示する５個のコンテンツアイコンＣＡによるイメージとを一致させることができるので、５枚のサムネイル画像ＳＧに相当する年度代表曲の音楽コンテンツＭＣが時間軸バー表示部ＴＢ１の中でどの辺の年代に相当するのかを瞬時かつ直感的に認識させ得るようになされている。
【００７８】
このときもオーディオ装置１の制御部２０は、フォーカス枠ＦＣ１によって選択されたサムネイル画像ＳＧに対応する音楽コンテンツＭＣの発売年及び曲名（この場合「１９７９年／夕焼け」）をアンダーラインＵＬ１上に表示すると共に、アーティスト名（この場合「溝渕強」）をアンダーラインＵＬ２下に表示するようになされている。
【００７９】
なおオーディオ装置１の制御部２０は、フォーカス枠ＦＣ１によってサムネイル画像ＳＧが変更されたときから、その変更後におけるサムネイル画像ＳＧの音楽コンテンツＭＣを再生するようになされている。
【００８０】
従ってオーディオ装置１の制御部２０は、選択ダイヤル１１のダイヤル操作に応じてフォーカス枠ＦＣ１によって選択中のサムネイル画像ＳＧを変更する度に、そのときフォーカス枠ＦＣ１で囲まれているサムネイル画像ＳＧに対応する音楽コンテンツＭＣの音声を出力することができるので、年度代表曲の中から所望の音楽コンテンツＭＣを検索させる際にも当該音楽コンテンツＭＣの音声をユーザに対して聴取させ得るようになされている。
【００８１】
（３−５）ズームイン表示
続いて、オーディオ装置１の制御部２０は、コンテンツ表示部８に対して年度代表曲の音楽コンテンツＭＣに対応するサムネイル画像ＳＧ（図９）だけが表示されている状態から、ユーザによってズームダイヤル１２が最小回転単位の回転量分だけ左方向へダイヤル操作された場合、図１０に示すように、ハードディスクドライブ２２のコンテンツメタデータ蓄積部２２Ｂから読み出したメタデータＭＴＤに基づき年間ランキングの順位が１位の音楽コンテンツＭＣに加えて２位の音楽コンテンツＭＣについても抽出し、１位及び２位の音楽コンテンツＭＣに対応するサムネイル画像ＳＧをコンテンツ表示部８に表示する。
【００８２】
従って、オーディオ装置１の制御部２０は各年毎の年間ランキングの順位が１位及び２位に相当する音楽コンテンツＭＣのサムネイル画像ＳＧをコンテンツ表示部８に表示することになるので、前ページにおける年間ランキングの順位が１位の音楽コンテンツＭＣだけをズームアウト表示したときの状態からみると、一段階だけズームイン表示した結果としてユーザに提示し得るようになされている。
【００８３】
このとき同時にオーディオ装置１の制御部２０は、年間ランキングの順位が１位及び２位の音楽コンテンツＭＣに対応するコンテンツアイコンＣＡだけをフォーカス枠ＦＣ２によって時間軸バー表示部ＴＢ１に残して表示すると共に、当該時間軸バー表示部ＴＢ１に表示せずに間引いた他のコンテンツアイコンＣＡについては時間軸バー表示部ＴＢ２に表示するようになされている。
【００８４】
このようにオーディオ装置１の制御部２０は、コンテンツ表示部８に対して年度代表曲のサムネイル画像ＳＧだけが表示されている状態から、ユーザによって左方向へズームダイヤル１２がダイヤル操作されたときの回転操作量に応じて、年度代表曲のサムネイル画像ＳＧだけを表示している状態から徐々にズームイン表示していき、最終的には全曲表示モード（図５）に戻し得るようになされている。
【００８５】
従ってオーディオ装置１の制御部２０は、年間ランキングの順位が１位の音楽コンテンツＭＣに対応するサムネイル画像ＳＧをコンテンツ表示部８に表示した後、ユーザによるズームダイヤル１２の左方向へのダイヤル操作に応じて、ある年度代表曲と同じ時期にヒットしていた他の音楽コンテンツＭＣに対応するサムネイル画像ＳＧについても後からズームイン表示することが出来るので、ユーザの検索対象数を任意に変更してユーザ所望の音楽コンテンツＭＣを容易に検索させることができる。
【００８６】
（３−６）アーティスト別選択表示
ところでオーディオ装置１の制御部２０は、コンテンツ表示部８のフォーカス枠ＦＣ１によって任意のサムネイル画像ＳＧが選択されている状態（例えば図７、図８及び図１０）から、メニューボタン９Ｇに対する押下操作に応じてポップアップ表示（図示せず）された「アーティスト」項目が選択されると、全音楽コンテンツＭＣにおけるメタデータＭＴＤのアーティスト名を読み出すことにより、フォーカス枠ＦＣ１によって現在選択されているアーティストの音楽コンテンツＭＣだけを抽出し、当該抽出した音楽コンテンツＭＣのサムネイル画像ＳＧだけをコンテンツ蓄積部２２Ａから読み出してコンテンツ表示部８に表示する。
【００８７】
従ってオーディオ装置１の制御部２０は、図１１に示すように、あるアーティストが発売した複数の音楽コンテンツＭＣにそれぞれ対応するサムネイル画像ＳＧだけをコンテンツ表示部８に表示することになるので、アーティスト名だけでも特定したいユーザに対しては、その中から瞬時にユーザ所望の音楽コンテンツＭＣを検索させ得るようになされている。
【００８８】
この場合オーディオ装置１の制御部２０は、そのアーティストの音楽コンテンツＭＣが５曲以上存在する場合には、選択ダイヤル１１に対するユーザのダイヤル操作に応じて未表示のサムネイル画像ＳＧを順次コンテンツ表示部８にスクロール表示させ得るようになされている。
【００８９】
このときも制御部２０は、コンテンツ表示部８に表示中の５枚のサムネイル画像ＳＧに対応する５個のコンテンツアイコンＣＡが含まれる範囲を時間軸バー表示部ＴＢ１のフォーカス枠ＦＣ２により囲んで提示することにより、コンテンツ表示部８に表示したサムネイル画像ＳＧに対応する音楽コンテンツＭＣの年代別分布をユーザに対して直感的に認識させ得るようになされている。
【００９０】
ところでこの場合、そのアーティスト以外の音楽コンテンツＭＣについては時間軸バー表示部ＴＢ２のフォーカス枠ＦＣ４によって囲まれたコンテンツアイコンＣＡが該当することになるので、オーディオ装置１の制御部２０は、あるアーティストの音楽コンテンツＭＣと同時期に発売されていた他のアーティストの音楽コンテンツＭＣをユーザに検索させる際には、ズームダイヤル１２を左方向へダイヤル操作させてズームイン表示させれば良い。
【００９１】
（４）連携表示処理手順
次に、上述したフロントパネル７におけるコンテンツ表示部８に表示するサムネイル画像ＳＧと、時間軸バー表示部ＴＢ１及びＴＢ２に表示するコンテンツアイコンＣＡとを連携させた状態で表示制御するための連携表示処理手順を、次の図１２に示すフローチャートを用いて説明する。
【００９２】
オーディオ装置１の制御部２０は、ルーチンＲＴ１の開始ステップから入って次のステップＳＰ１へ移り、コンテンツ表示部８に表示する可能性のある全ての音楽コンテンツＭＣのサムネイル画像ＳＧをハードディスクドライブ２２のコンテンツ蓄積部２２Ａから読み出してＲＡＭ２０Ｃに保持し、次のステップＳＰ２へ移る。
【００９３】
ステップＳＰ２において制御部２０は、ハードディスクドライブ２２のコンテンツ蓄積部２２Ａから読み出したサムネイル画像ＳＧの音楽コンテンツＭＣに対応するメタデータＭＴＤをコンテンツメタデータ蓄積部２２Ｂから読み出してＲＡＭ２０Ｃに保持し、次のステップＳＰ３へ移る。
【００９４】
ステップＳＰ３において制御部２０は、ステップＳＰ１でＲＡＭ２０Ｃに保持したサムネイル画像を所定のサイズ及び所定の間隔に整列し、その中の５枚のサムネイル画像ＳＧをコンテンツ表示部８に表示し、次のステップＳＰ４へ移る。
【００９５】
ステップＳＰ４において制御部２０は、全ての音楽コンテンツＭＣにそれぞれ対応したコンテンツアイコンＣＡをハードディスクドライブ２２のコンテンツ蓄積部２２Ａから読み出して時間軸バー表示部ＴＢ１に発売年月日順の時系列に並べて配置し、次のステップＳＰ５へ移る。
【００９６】
ステップＳＰ５において制御部２０は、ユーザによってズームダイヤル１２がズーム変更操作されたか否かを判定し、否定結果が得られると、このことはズームダイヤル１２ではなく選択ダイヤル１１による選択操作が行われたことを表しており、この場合次のステップＳＰ６へ移るのに対し、肯定結果が得られるとステップＳＰ７へ移る。
【００９７】
ステップＳＰ６において制御部２０は、ユーザによる選択ダイヤル１１のダイヤル操作に応じてコンテンツ表示部８のサムネイル画像ＳＧを１コマずつずらすことにより、フォーカス枠ＦＣ１によって選択中のサムネイル画像ＳＧを変更すると共に、それに合わせて時間軸バー表示部ＴＢ１のフォーカス枠ＦＣ２をコンテンツアイコンＣＡの１個分ずつずらすことにより、選択ダイヤル１１による選択操作に応じたサムネイル画像ＳＧの移動処理とフォーカス枠ＦＣ２の移動処理とを連携させ、次のステップＳＰ８へ移る。
【００９８】
ステップＳＰ７において制御部２０は、ユーザによるズームダイヤル１２の回転操作量に応じて優先度の低い音楽コンテンツＭＣから順次間引いていき、その結果最終的に抽出された音楽コンテンツＭＣのサムネイル画像ＳＧだけをコンテンツ表示部８に表示すると共に、時間軸バー表示部ＴＢ１におけるフォーカス枠ＦＣ２の選択範囲や時間軸バー表示部ＴＢ２におけるフォーカス枠ＦＣ４の選択範囲を変えて表示することにより、ズームダイヤル１２によるズーム変更操作に応じたサムネイル画像ＳＧのズーム変更表示処理とフォーカス枠ＦＣ２及びＦＣ４の選択範囲変更処理とを連携させ、次のステップＳＰ８へ移る。
【００９９】
ステップＳＰ８において制御部２０は、ステップＳＰ６におけるサムネイル画像ＳＧの移動処理またはステップＳＰ７におけるサムネイル画像ＳＧのズーム変更表示処理が行われた後のフォーカス枠ＦＣ１によって選択中のサムネイル画像ＳＧに対応する音楽コンテンツＭＣを再生して出力した後、再度ステップＳＰ５に戻って以降の処理を繰り返す。
【０１００】
このようにオーディオ装置１の制御部２０は、選択ダイヤル１１やズームダイヤル１２に対するユーザのダイヤル操作に応じてコンテンツ表示部８におけるサムネイル画像ＳＧの移動処理やズーム変更表示処理を実行すると共に、それらの処理に連携して時間軸バー表示部ＴＢ１及びＴＢ２におけるフォーカス枠ＦＣ２、ＦＣ４の選択範囲変更処理を実行し得るようになされている。
【０１０１】
（５）間引表示
（５−１）優先度の算出
ところでオーディオ装置１は、上述したように、ズーム変更表示を行う場合、全音楽コンテンツＭＣのうち一部の音楽コンテンツＭＣのサムネイル画像ＳＧだけをコンテンツ表示部８に表示するため、当該コンテンツ表示部８に表示すべきサムネイル画像ＳＧを抽出する必要がある。
【０１０２】
そこでオーディオ装置１は、各音楽コンテンツＭＣにそれぞれ対応付けて蓄積してあるメタデータＭＴＤを用いて優先度評価値ＰＶ（後述する）をそれぞれ算出し、当該優先度評価値ＰＶに基づいてコンテンツ表示部８に表示すべきサムネイル画像ＳＧを抽出するようになされている。
【０１０３】
実際上オーディオ装置１は、図１３に示すように、曲名、アーティスト名及び発売年月日といった音楽コンテンツＭＣの属性を示すデータに加えて、総売上枚数ＡＳ、年間ランキングＲｙ、月間ランキングＲｍ及び週間ランキングＲｗといった人気の度合いを示すデータ、並びにユーザにより入力された９段階評価によるユーザレーティングＵＲといった好みの度合いを示すデータをメタデータＭＴＤとしてハードディスクドライブ２２のコンテンツメタデータ蓄積部２２Ｂに蓄積している。
【０１０４】
因みに年間ランキングは１００位までの順位が示され、月間ランキング及び週間ランキングはそれぞれ１０位までの順位が示されるようになされている。またユーザレーティングＵＲは、「−３」から「＋５」までの９段階の数値により表され、ユーザレーティングボタン９Ｆ（図２）に対する押下操作によりこの数値をユーザの好みに合わせて変更可能であり、この数値が大きいほどユーザの評価が高いことを示している。
【０１０５】
またオーディオ装置１は、次に示す（１ａ）〜（１ｄ）式に従い、人気の度合いを示すデータ及びユーザの好みを表すデータを基に、ユーザ重みＷｕ、年間ランク重みＷｙ、月間ランク重みＷｍ及び週間ランク重みＷｗを算出する。
【０１０６】
Ｗｕ＝ＵＲ＋４                        ……（１ａ）
Ｗｙ＝（年間ランキングの総数）−Ｒｙ  ……（１ｂ）
Ｗｍ＝（月間ランキングの総数）−Ｒｍ  ……（１ｃ）
Ｗｗ＝（週間ランキングの総数）−Ｒｗ  ……（１ｄ）
【０１０７】
さらにオーディオ装置１は、次に示す（２）式に従いユーザ重みＷｕ、年間ランク重みＷｙ、月間ランク重みＷｍ及び週間ランク重みＷｗに所定の係数Ｆｕ、Ｆｙ、Ｆｍ及びＦｗをそれぞれ乗じて総売上枚数ＡＳに加算することにより優先度評価値ＰＶを算出する。ここで優先度評価値ＰＶは、０よりも大きな数字でなる種々の評価値を取り得るようになされている。
【０１０８】
ＰＶ＝Ｆｕ×Ｗｕ＋Ｆｙ×Ｗｙ＋Ｆｍ×Ｗｍ＋Ｆｗ×Ｗｗ＋ＡＳ  ……（２）
【０１０９】
ここで係数Ｆｕ、Ｆｙ、Ｆｍ及びＦｗは、次に示す（３）式のような大小関係を有している。
【０１１０】
Ｆｕ＞Ｆｙ＞Ｆｍ＞Ｆｗ  ……（３）
【０１１１】
これにより優先度評価値ＰＶは、総売上枚数ＡＳに対してユーザ重みＷｕ、年間ランク重みＷｙ、月間ランク重みＷｍ及び週間ランク重みＷｗがそれぞれシフトされることになり、結果的に図１４に示すようなデータ構造を有することになる。
【０１１２】
実際上、オーディオ装置１は、光ディスク４や小型メモリーカード６（図１）から新たな音楽コンテンツＭＣを取得してハードディスクドライブ２２のコンテンツ蓄積部２２Ａに格納する際、各音楽コンテンツＭＣについてこの優先度評価値ＰＶを算出し、これをメタデータＭＴＤの一部としてコンテンツメタデータ蓄積部２２Ｂに格納するようになされている。
【０１１３】
（５−２）サムネイル画像の間引表示
ところでオーディオ装置１の制御部２０は、図１５に示すように、全ての音楽コンテンツＭＣをコンテンツＡ〜コンテンツＺとしたとき、これらのコンテンツＡ〜コンテンツＺを発売年月日順に整列した状態（以下、このように整列された全音楽コンテンツＭＣの列を全コンテンツ列ＬＣ０と呼ぶ）で認識しており、当該全コンテンツ列ＬＣ０から優先度評価値ＰＶの低い順に一部の音楽コンテンツＭＣを間引くことによりユーザ所望の音楽コンテンツＭＣだけを抽出し、当該抽出した音楽コンテンツＭＣに対応したサムネイル画像ＳＧを５枚だけコンテンツ表示部８に表示するようになされている。
【０１１４】
具体的にオーディオ装置１の制御部２０は、全ての音楽コンテンツＭＣに対応したサムネイル画像ＳＧを全曲表示モード（図５）で表示する「全表示レベルＬＶ１」、各週の週間ランキング１位の音楽コンテンツＭＣを抽出してそのサムネイル画像ＳＧを表示する「週表示レベルＬＶ２」、各月の月間ランキング１位の音楽コンテンツＭＣを抽出してそのサムネイル画像ＳＧを表示する「月表示レベルＬＶ３」、各年の年間ランキング１位の音楽コンテンツＭＣのみを抽出してそのサムネイル画像ＳＧを表示する「年表示レベルＬＶ４」及びユーザレーティングＵＲの数値が「＋５」である最高評価の音楽コンテンツＭＣだけを抽出してそのサムネイル画像ＳＧを表示する「最高評価表示レベルＬＶ５」といった５段階の表示レベルを設定し得るようになされている。
【０１１５】
因みに、ここでは５段階の表示レベルＬＶを設定するようにしているが、上述した年間ランキングの順位が１位及び２位の音楽コンテンツＭＣを抽出して、そのサムネイル画像ＳＧを表示するための表示レベルＬＶについては、説明の便宜上省略する。
【０１１６】
さらに制御部２０は、優先度評価値ＰＶに対する閾値ＴＨとして、「全表示レベルＬＶ１」〜「最高評価表示レベルＬＶ５」の各表示レベルに対応した５段階の閾値ＴＨ１〜ＴＨ５を設定している。
【０１１７】
実際上、制御部２０は、ユーザによるズームダイヤル１２を介したズーム変更操作がなされた結果として回転操作量に応じた回転信号ＳＲ２を取得すると、当該回転信号ＳＲ２に応じて閾値ＴＨ１〜ＴＨ５のいずれかを選択する（以下、このとき選択された閾値ＴＨを抽出閾値ＴＨＡと呼ぶ）。
【０１１８】
続いて制御部２０は、全ての音楽コンテンツＭＣのうち優先度評価値ＰＶが抽出閾値ＴＨＡ未満である音楽コンテンツＭＣ（以下、これを除外音楽コンテンツＭＣＺと呼ぶ）を間引くことにより、当該優先度評価値ＰＶが当該抽出閾値ＴＨＡ以上である音楽コンテンツＭＣ（以下、これを抽出音楽コンテンツＭＣＡと呼ぶ）だけを抽出し、このときコンテンツ表示部８のフォーカス枠ＦＣ１によって選択されている音楽コンテンツＭＣ（以下、これを選択音楽コンテンツＭＣＳと呼ぶ）を中心とした５つの抽出音楽コンテンツＭＣＡに対応した５枚のサムネイル画像ＳＧをコンテンツ表示部８に表示させることにより、ズーム変更操作に応じた表示レベルに切り換えてズーム変更表示するようになされている。
【０１１９】
因みに制御部２０は、閾値ＴＨ１の値を「０」に設定しており、これにより「全表示レベルＬＶ１」の場合、全ての音楽コンテンツＭＣにおいて優先度評価値ＰＶが抽出閾値ＴＨＡ（すなわち閾値ＴＨ１）よりも必ず大きい値を取り得るので、結果的に全ての音楽コンテンツＭＣを抽出音楽コンテンツＭＣＡとするようになされている。
【０１２０】
例えば制御部２０は、全コンテンツ列ＬＣ０のうちコンテンツＪがフォーカス枠ＦＣ１により選択音楽コンテンツＭＣＳとして選択され、かつ全表示レベルＬＶ１が設定されている場合、図１６（Ａ）に示すように、全コンテンツ列ＬＣ０における選択音楽コンテンツＭＣＳ（すなわちコンテンツＪ）を中心とした前後５つのコンテンツＨ〜Ｌ（以下、これを第１レベルコンテンツ列ＬＣ１（図１５）と呼ぶ）にそれぞれ対応した５枚のサムネイル画像ＳＧＨ〜ＳＧＬを左側から右側へ発売年月日順に並べた状態で（以下、このサムネイル画像ＳＧＨ〜ＳＧＬの列を第１レベル画像列ＬＧ１と呼ぶ）コンテンツ表示部８に表示する。
【０１２１】
また制御部２０は、ズームダイヤル１２によりズームアウト表示を行うためのズーム変更操作（すなわち表示レベルを上げる操作）が行われると、週表示レベルＬＶ２に応じた閾値ＴＨ２を選択し、図１６（Ｂ）に示すように、フォーカス枠ＦＣ１により選択中の選択音楽コンテンツＭＣＳであるコンテンツＪを中心として、全コンテンツ列ＬＣ０から優先度評価値ＰＶが閾値ＴＨ２以上であるコンテンツＧ、Ｉ、Ｊ、Ｍ及びＲを抽出し（以下、この音楽コンテンツＭＣの列を第２レベルコンテンツ列ＬＣ２（図１５）と呼ぶ）、それぞれのコンテンツＧ、Ｉ、Ｊ、Ｍ及びＲに対応したサムネイル画像ＳＧＧ、ＳＧＩ、ＳＧＪ、ＳＧＭ及びＳＧＲを左側から右側へ発売年月日順に並べた状態で（以下、このサムネイル画像ＳＧＧ、ＳＧＩ、ＳＧＪ、ＳＧＭ及びＳＧＲの列を第２レベル画像列ＬＧ２と呼ぶ）コンテンツ表示部８に表示する。
【０１２２】
この結果コンテンツ表示部８には、全コンテンツ列ＬＣ０（図１５）のうち優先度評価値ＰＶが閾値ＴＨ２未満である除外音楽コンテンツＭＣＺ（すなわちコンテンツＨ、Ｋ及びＬ等）が間引かれることにより残された抽出音楽コンテンツＭＣＡのサムネイル画像ＳＧＧ、ＳＧＩ、ＳＧＪ、ＳＧＭ及びＳＧＲだけが並べられることになる。また、この場合も各サムネイル画像ＳＧＧ、ＳＧＩ、ＳＧＪ、ＳＧＭ及びＳＧＲの各大きさについては、全表示レベルＬＶ１の場合とほぼ同等となっている。
【０１２３】
さらに制御部２０は、図１６（Ｂ）に示したように、第２レベル画像列ＬＧ２において各サムネイル画像ＳＧ同士が隣接する抽出音楽コンテンツＭＣＡ（例えばコンテンツＧ及びコンテンツＩ）について、全コンテンツ列ＬＣ０において当該抽出音楽コンテンツＭＣＡ同士の間に除外音楽コンテンツＭＣＺ（例えばコンテンツＨ）が並べられていた場合、コンテンツ表示部８に表示している複数の抽出音楽コンテンツＭＣＡに対応した各サムネイル画像ＳＧ同士の間に、当該除外音楽コンテンツＭＣＺが間引かれていることを示す間引マークＭＴ（ＭＴ１、ＭＴ２及びＭＴ３）を表示するようになされている。
【０１２４】
ここで間引マークＭＴ（ＭＴ１、ＭＴ２及びＭＴ３）は、１〜３本の縦直線が横方向に並列されたような形状でなり、除外音楽コンテンツＭＣＺが１つ存在することを示す１本の縦直線でなる間引マークＭＴ１、除外音楽コンテンツＭＣＺが２つ存在することを示す２本の縦直線でなる間引マークＭＴ２、及び除外音楽コンテンツＭＣＺが３つ以上存在することを示す３本の縦直線でなる間引マークＭＴ３のように、実際に間引かれた除外音楽コンテンツＭＣＺの数に応じて縦直線の本数が変化するようになされている。
【０１２５】
これによりオーディオ装置１は、全コンテンツ列ＬＣ０における整列順序（すなわち発売年月日順）を前提とした場合の、第２レベル画像列ＬＧ２において隣接する各サムネイル画像ＳＧとそれぞれ対応した抽出音楽コンテンツＭＣＡ同士の間に除外音楽コンテンツＭＣＺが存在すること及び当該除外音楽コンテンツＭＣＺの概数を間引きマークＭＴによってユーザに提示し得るようになされている。
【０１２６】
ちなみにオーディオ装置１の制御部２０は、ズームダイヤル１２に対するズーム変更操作における右回転量が複数回のダイヤル操作に相当する場合、例えば全表示レベルＬＶ１、週表示レベルＬＶ２、月表示レベルＬＶ３、年表示レベルＬＶ４及び最高評価表示レベルＬＶ５のように順次表示レベルＬＶを上げていくようになされている。
【０１２７】
また制御部２０は、例えば図１６（Ａ）に示したように、コンテンツ表示部８に第１レベル画像列ＬＧ１が表示され、かつフォーカス枠ＦＣ１によってコンテンツＪが選択された状態で、選択ダイヤル１１に対するダイヤル操作（例えば右回転操作）が行われた結果としてその回転操作量に応じた回転信号ＳＲ１を取得すると、図１７（Ａ）に示すように、当該回転信号ＳＲ１に応じてフォーカス枠ＦＣ１により選択中の選択音楽コンテンツＭＣＳをコンテンツＪからコンテンツＫに切り換える。
【０１２８】
この場合コンテンツ表示部８では、フォーカス枠ＦＣ１の位置が固定されているため、第１レベル画像列ＬＧ１を１枚ずつ左隣に移動させ、右端に新たなサムネイル画像ＳＧを表示するといったスクロール処理を行い、フォーカス枠ＦＣ１をコンテンツＫに対応したサムネイル画像ＳＧＫに重ねることにより、第１レベル画像列ＬＧ１を更新するようになされている。
【０１２９】
このようにオーディオ装置１は、選択ダイヤル１１又はズームダイヤル１２を介したダイヤル操作によってコンテンツ表示部８に表示するサムネイル画像ＳＧを選択する選択操作と、当該選択操作又はズーム変更操作に応じたオーディオ装置１におけるインタフェース動作とを当該コンテンツ表示部８に表示画面として表示しながら行うことになる。
【０１３０】
ここで制御部２０は、図１７（Ａ）に示したように表示レベルＬＶが全表示レベルＬＶ１でありフォーカス枠ＦＣ１によりコンテンツＫが選択された状態において、ズームダイヤル１２に対するズームアウト表示のためのダイヤル操作が行われた場合、図１７（Ｂ）に示すように、フォーカス枠ＦＣ１を介して選択音楽コンテンツＭＣＳであるコンテンツＫのサムネイル画像ＳＧＫを中心に表示した上で、週表示レベルＬＶ２に応じた閾値ＴＨ２を選択し、全コンテンツ列ＬＣ０から優先度評価値ＰＶが当該閾値ＴＨ２以上であるコンテンツＩ、Ｊ、Ｍ及びＲを抽出した後それぞれに対応するサムネイル画像ＳＧＩ、ＳＧＪ、ＳＧＭ及びＳＧＲをコンテンツ表示部８に表示する。
【０１３１】
すなわち制御部２０は、ズームアウト表示を行うためのズーム変更操作がユーザにより行われた際、優先度評価値ＰＶが抽出閾値ＴＨＡ以上となる音楽コンテンツＭＣに対応したサムネイル画像ＳＧだけを表示するのではなく、フォーカス枠ＦＣ１によって現在選択中の選択音楽コンテンツＭＣＳに関しては優先度評価値ＰＶの値に関わらず無条件でそのサムネイル画像ＳＧ（この場合はサムネイル画像ＳＧＫ）を表示し続けるようになされており、これによりズームアウト表示のために表示内容を更新した際、ユーザに対して選択音楽コンテンツＭＣＳのサムネイル画像ＳＧを見失わせることを回避するようになされている。
【０１３２】
また制御部２０は、フォーカス枠ＦＣ１により選択中の選択音楽コンテンツＭＣＳが各種操作の操作対象として指定された場合、このときの表示レベルＬＶに応じたコンテンツ列ＬＣ（ＬＣ０、ＬＣ１又はＬＣ２）において、当該選択音楽コンテンツＭＣＳとその次に位置する抽出音楽コンテンツＭＣＡとの間に含まれる全ての除外音楽コンテンツＭＣＺをも操作対象として指定されたものと見なすようになされている。
【０１３３】
実際上、制御部２０は、図１６（Ｂ）に示したように表示レベルＬＶが週表示レベルＬＶ２であり、フォーカス枠ＦＣ１によりコンテンツＪが操作対象として選択された状態において、例えば音楽コンテンツＭＣを繰り返し再生するリピート再生処理の操作指示を受け付けた場合、除外音楽コンテンツＭＣＺとして間引かれているコンテンツＫ及びコンテンツＬについてもリピート再生処理の操作対象として指示されたものと見なし、コンテンツＪ、Ｋ、Ｌ、Ｊ、Ｋ、Ｌ、……の順にリピート再生を行うようになされている。
【０１３４】
またオーディオ装置１の制御部２０は、例えば図１６（Ｂ）に示したように、コンテンツ表示部８に第２レベル画像列ＬＧ２が表示され、かつコンテンツＪがフォーカス枠ＦＣ１により選択された状態で、選択ダイヤル１１に対するダイヤル操作（例えば右回転操作）が行われた結果として回転操作量に応じた回転信号ＳＲ１を取得すると、図１７（Ｃ）に示すように当該回転信号ＳＲ１に応じて、選択音楽コンテンツＭＣＳを第２レベルコンテンツ列ＬＣ２において右隣に位置するコンテンツＭに切り換える。
【０１３５】
このときオーディオ装置１の制御部２０は、更新後の第２レベル画像列ＬＧ２における各サムネイル画像ＳＧとそれぞれ対応する抽出音楽コンテンツＭＣＡ同士の間から除外音楽コンテンツＭＣＺが間引かれていた場合、コンテンツ表示部８における当該抽出音楽コンテンツＭＣＡに対応したサムネイル画像ＳＧ同士の間に除外音楽コンテンツＭＣＺの間引き数に応じた間引マークＭＴ（ＭＴ１、ＭＴ２又はＭＴ３）を表示する。
【０１３６】
このようにオーディオ装置１の制御部２０は、ユーザによるズームダイヤル１２に対するダイヤル操作に応じて抽出閾値ＴＨＡを選択し、選択音楽コンテンツＭＣＳに対応したサムネイル画像ＳＧを中心として、優先度評価値ＰＶが当該抽出閾値ＴＨＡ以上である抽出音楽コンテンツＭＣＡを全コンテンツ列ＬＣ０から抽出し、当該抽出音楽コンテンツＭＣＡに対応したサムネイル画像ＳＧと除外音楽コンテンツＭＣＺの存在を示す間引マークＭＴとをコンテンツ表示部８に表示するようになされている。
【０１３７】
（６）サムネイル画像表示処理
次に、オーディオ装置１がコンテンツ表示部８にサムネイル画像ＳＧを表示する際のサムネイル画像表示処理について、ズームダイヤル１２によりズーム変更操作された場合と、選択ダイヤル１１により選択操作された場合とに分けて説明する。
【０１３８】
（６−１）ズーム変更操作による表示更新処理
オーディオ装置１の制御部２０は、電源が投入されることにより、図１８に示すズーム変更操作による表示更新処理手順ＲＴ２を開始し、ステップＳＰ１１へ移る。
【０１３９】
ステップＳＰ１１において制御部２０は、ユーザによりズームダイヤル１２を介したズーム変更操作が行われたことに応じて操作入力部２７から供給される回転信号ＳＲ２を取得し、次のステップＳＰ１２へ移る。
【０１４０】
ステップＳＰ１２において制御部２０は、この時点の表示レベルＬＶ（例えば全表示レベルＬＶ１）と操作入力部２７から取得した回転信号ＳＲ２とに基づいて新たな表示レベルＬＶ（例えば週表示レベルＬＶ２）に切り換えると共に、抽出閾値ＴＨＡとして当該新たな表示レベルＬＶに応じた閾値ＴＨ（例えば閾値ＴＨ２）を選択し、サブルーチンであるサムネイル画像表示処理手順ＳＲＴ１へ移る。
【０１４１】
制御部２０は、サムネイル画像表示処理手順ＳＲＴ１へ移ると図１９に示すフローチャートを開始してステップＳＰ２１へ移る。ステップＳＰ２１において制御部２０は、全コンテンツ列ＬＣ０の中で任意に選択した音楽コンテンツＭＣ（例えばコンテンツＪ）に対応したサムネイル画像ＳＧ（例えばサムネイル画像ＳＧＪ）をコンテンツ表示部８のほぼ中央位置に表示させる対象として決定すると共に、表示レベルＬＶに応じて当該中央位置のサムネイル画像の隣に表示すべきコンテンツＭＣを探索するときの起点に当該音楽コンテンツＭＣを設定し、次のステップＳＰ２２へ移る。
【０１４２】
ステップＳＰ２２において制御部２０は、全コンテンツ列ＬＣ０上で起点となる音楽コンテンツＭＣから抽出音楽コンテンツＭＣＡを順次探索していく際の探索方向を「左側」すなわち発売年月日が過去となる方向に設定し、次のステップＳＰ２３へ移る。
【０１４３】
ステップＳＰ２３において制御部２０は、起点となる音楽コンテンツＭＣに対応したサムネイル画像ＳＧの左右両側（すなわち右側及び左側）にそれぞれ表示するサムネイル画像ＳＧの枚数をカウントするための変数ｊを「０」に初期化し、次のステップＳＰ２４へ移る。
【０１４４】
ステップＳＰ２４において制御部２０は、起点となる音楽コンテンツＭＣに対応したサムネイル画像ＳＧの左右両側には表示せずに間引く対象となる除外音楽コンテンツＭＣＺの数を示す変数ｉをこの場合「−１」として初期化し、次のステップＳＰ２５へ移る。
【０１４５】
ステップＳＰ２５において制御部２０は、全コンテンツ列ＬＣ０の中で起点となる音楽コンテンツＭＣの探索方向側に隣接した音楽コンテンツＭＣに着目し、そのメタデータＭＴＤを読み出すと共に変数ｉをインクリメントした後、次のステップＳＰ２６へ移る。例えば制御部２０は、コンテンツＪを起点としたとき左側に隣接するコンテンツＩに着目すると共に、変数ｉを「０」と設定する。
【０１４６】
ステップＳＰ２６において制御部２０は、ステップＳＰ２５で着目した音楽コンテンツＭＣのメタデータＭＴＤに含まれている優先度評価値ＰＶが表示レベルＬＶに応じた抽出閾値ＴＨＡ以上であるか否かを判定する。
【０１４７】
ここで肯定結果が得られると、このことはステップＳＰ２５において着目した音楽コンテンツＭＣの優先度評価値ＰＶが抽出閾値ＴＨＡ以上であり、抽出音楽コンテンツＭＣＡに相当するものであることを表しており、このとき制御部２０は次のステップＳＰ２７へ移る。
【０１４８】
一方ステップＳＰ２６において否定結果が得られると、このことは着目した音楽コンテンツＭＣの優先度評価値ＰＶが抽出閾値ＴＨＡ未満であり当該音楽コンテンツＭＣが除外音楽コンテンツＭＣＺに相当するものであることを表しており、このとき制御部２０は、優先度評価値ＰＶが抽出閾値ＴＨＡ以上の音楽コンテンツＭＣを検出するまで、起点となる音楽コンテンツＭＣの探索方向側に表示すべき音楽コンテンツＭＣの探索を行うべく、再度ステップＳＰ２５へ戻る。
【０１４９】
このときステップＳＰ２５において制御部２０は、除外音楽コンテンツＭＣＺに相当した音楽コンテンツＭＣの探索方向側に隣接した次の音楽コンテンツＭＣに着目すると共に変数ｉをインクリメントする。
【０１５０】
ステップＳＰ２７において制御部２０は、ステップＳＰ２５において着目した音楽コンテンツＭＣがステップＳＰ２６でコンテンツ表示部８に表示すべき抽出音楽コンテンツＭＣＡに相当するものであると判明したため、変数ｊをインクリメントし、起点となる音楽コンテンツＭＣからｊ個だけ探索方向側の位置に、当該着目した音楽コンテンツＭＣのサムネイル画像ＳＧを表示することを決定し、次のステップＳＰ２８へ移る。
【０１５１】
ステップＳＰ２８において制御部２０は、変数ｉが１以上であるか否かを判定する。ここで肯定結果が得られると、このことは起点となる音楽コンテンツＭＣに対応するサムネイル画像ＳＧに隣接して表示すべきサムネイル画像ＳＧを探索するまでに少なくとも１つ以上の除外音楽コンテンツＭＣＺを間引いていることを表しており、このとき制御部２０は次のステップＳＰ２９へ移る。
【０１５２】
ここで変数ｉは、初期値が「−１」に設定されているため、間引かれた除外音楽コンテンツＭＣＺの数に相当することになる。
【０１５３】
ステップＳＰ２９において制御部２０は、コンテンツ表示部８において起点となるサムネイル画像ＳＧと、当該起点となるサムネイル画像ＳＧに隣接した抽出音楽コンテンツＭＣＡに対応したサムネイル画像ＳＧとの間に、変数ｉに応じた間引マークＭＴ（すなわち間引マークＭＴ１、ＭＴ２又はＭＴ３）を表示し、次のステップＳＰ３０へ移る。
【０１５４】
一方ステップＳＰ２８において否定結果が得られると、このことは起点となる音楽コンテンツＭＣに隣接する音楽コンテンツＭＣが抽出音楽コンテンツＭＣＡであることを検出し得、かつ除外音楽コンテンツＭＣＺについては一切間引いていないことを表しており、このとき制御部２０は、間引マークＭＴをコンテンツ表示部８に表示させることなく次のステップＳＰ３０へ移る。
【０１５５】
ステップＳＰ３０において制御部２０は、変数ｊが２以上であるか否か、すなわち起点となる音楽コンテンツＭＣに対応したサムネイル画像ＳＧから探索方向側へ２個のサムネイル画像ＳＧを表示することを既に決定したか否かを判定する。
【０１５６】
ここで否定結果が得られると、このことは現在の探索方向側へ表示すべき２枚のサムネイル画像ＳＧを未だ決定していないため、現在の探索方向側へ表示すべきサムネイル画像を２枚決定するまでは探索する必要があることを表しており、このとき制御部２０は、再度ステップＳＰ２４へ戻る。
【０１５７】
一方ステップＳＰ３０において肯定結果が得られると、このことは現在の探索方向側へ表示すべき２枚のサムネイル画像ＳＧを既に決定しており、現在の探索方向側にこれ以上表示すべきサムネイル画像ＳＧを探索する必要がないことを表しており、このとき制御部２０は次のステップＳＰ３１へ移る。
【０１５８】
ステップＳＰ３１において制御部２０は、この時点における探索方向が起点の音楽コンテンツＭＣから「右側」であるか否かを判定する。ここで否定結果が得られると、このことはこの時点までに既に探索された探索方向が起点の音楽コンテンツＭＣから「左側」であり、未だ起点となるサムネイル画像ＳＧの右側に表示すべき２枚の抽出音楽コンテンツＭＣＡのサムネイル画像ＳＧを決定していないことを表しており、このとき制御部２０は次のステップＳＰ３２へ移る。
【０１５９】
ステップＳＰ３２において制御部２０は、探索方向を「左側」から「右側」へ、すなわち起点となる音楽コンテンツＭＣに対して発売年月日が未来となる方向に切り換え、起点となる音楽コンテンツＭＣに対応したサムネイル画像ＳＧの右側に表示すべき２枚のサムネイル画像ＳＧを決定するべく再度ステップＳＰ２３へ戻る。
【０１６０】
一方ステップＳＰ３１において肯定結果が得られると、このことは起点となる音楽コンテンツＭＣに対応したサムネイル画像ＳＧの左側及び右側の両側にそれぞれ２枚ずつ表示すべきサムネイル画像ＳＧを決定し終えたことを表しており、このとき制御部２０は次のステップＳＰ３３へ移る。
【０１６１】
ステップＳＰ３３において制御部２０は、ステップＳＰ３１で決定した５枚のサムネイル画像ＳＧを表示部２６（図２）のビデオコントローラ２６Ａへ送出することにより、５枚のサムネイル画像ＳＧをコンテンツ表示部８に表示させ、次のステップＳＰ３４へ移ってこのサムネイル画像表示処理手順ＳＲＴ１を終了した後、元のズーム変更操作による表示更新処理手順ＲＴ２（図１８）へ復帰し、ステップＳＰ１１へ戻ることにより一連の処理を繰り返す。
【０１６２】
因みにオーディオ装置１の制御部２０は、前回電源が切断される直前にフォーカス枠ＦＣ１によって選択されていた選択音楽コンテンツＭＣＳ（例えばコンテンツＪ）及びそのときの表示レベルＬＶ（例えば全表示レベルＬＶ１）を不揮発性メモリ（図示せず）に記憶しており、電源投入直後にこれらを読み出してそれぞれ選択音楽コンテンツＭＣＳ及び表示レベルＬＶの初期値として用いることにより、再度電源を投入した際に電源切断前のコンテンツ表示部８に表示していたサムネイル画像ＳＧの表示状態に戻すことが出来るようになされている。
【０１６３】
（６−２）選択操作による表示更新処理
オーディオ装置１の制御部２０は、電源が投入されることにより、図２０に示す選択操作による表示更新処理手順ＲＴ３を開始し、ステップＳＰ４１へ移る。ステップＳＰ４１において制御部２０は、ユーザにより選択ダイヤル１１を介した選択操作が行われたことに応じて操作入力部２７から供給される回転信号ＳＲ１を取得し、次のステップＳＰ４２へ移る。
【０１６４】
ステップＳＰ４２において制御部２０は、操作入力部２７から取得した回転信号ＳＲ１に応じて、このときの表示レベルＬＶにおけるコンテンツ列ＬＣ上でフォーカス枠ＦＣ１により選択されている選択音楽コンテンツＭＣＳの右隣又は左隣に並べられた抽出音楽コンテンツＭＣＡを新たな選択音楽コンテンツＭＣＳとし、次のサブルーチンであるサムネイル画像表示処理手順ＳＲＴ１へ移る。
【０１６５】
例えば制御部２０は、週表示レベルＬＶ２に切り換えられ選択音楽コンテンツＭＣＳがコンテンツＪであったときに、選択ダイヤル１２を介した右側方向への回転操作が行われた場合、当該週表示レベルＬＶ２に対応した第２レベルコンテンツ列ＬＣ２（図１５）上で、選択音楽コンテンツＭＣＳをコンテンツＪから右隣に並べられたコンテンツＭに遷移させる。
【０１６６】
サムネイル画像表示処理手順ＳＲＴ１において制御部２０は、上述したように選択音楽コンテンツＭＣＳのサムネイル画像ＳＧを中心とした５枚のサムネイル画像ＳＧをコンテンツ表示部８に表示させた後、再度ステップＳＰ４１へ戻ることにより一連の処理を繰り返す。
【０１６７】
（７）動作及び効果
以上の構成において、オーディオ装置１の制御部２０は、全ての音楽コンテンツＭＣを発売年月日順に整列した全コンテンツ列ＬＣ０を生成しておくと共に各音楽コンテンツＭＣについて優先度評価値ＰＶをそれぞれ算出しておき、ユーザのズーム変更操作により設定された表示レベルＬＶに応じて抽出閾値ＴＨＡを選択し、フォーカス枠ＦＣ１により選択中の選択音楽コンテンツＭＣＳを起点として全コンテンツ列ＬＣ０（図１５）から優先度評価値ＰＶが当該抽出閾値ＴＨＡ以上である抽出音楽コンテンツＭＣＡを抽出し、選択音楽コンテンツＭＣＳに対応したサムネイル画像ＳＧを中心に、抽出音楽コンテンツＭＣＡに対応したサムネイル画像ＳＧと除外音楽コンテンツＭＣＺの存在を示す間引マークＭＴとをコンテンツ表示部８に表示する。
【０１６８】
従ってオーディオ装置１は、設定された表示レベルＬＶに関わらず、サムネイル画像ＳＧの最大表示数を固定して各サムネイル画像ＳＧのサイズを変更せずにコンテンツ表示部８に表示するため、各サムネイル画像ＳＧの視認性を低下させることがない。
【０１６９】
またオーディオ装置１は、全コンテンツ列ＬＣ０から優先度評価値ＰＶが抽出閾値ＴＨＡ未満である除外音楽コンテンツＭＣＺを間引き、残った抽出音楽コンテンツＭＣＡに対応したサムネイル画像ＳＧをコンテンツ表示部８に表示することにより、発売年月日順を基準とした各音楽コンテンツＭＣの相対的な順序を維持したまま、優先度評価値ＰＶが高くユーザに好まれる可能性が高い音楽コンテンツＭＣに対応したサムネイル画像ＳＧだけをズームアウト表示することができ、実際にはサムネイル画像を５枚だけ表示しながら、ユーザに対してあたかも音楽コンテンツＭＣの表示範囲を仮想的に拡大したかのように認識させることができる。
【０１７０】
すなわちオーディオ装置１は、ズームダイヤル１２を介したズーム変更操作により全表示レベルＬＶ１から表示レベルＬＶを徐々に上げていきズームアウト表示していく場合、ズームダイヤル１２の回転操作量と表示レベルＬＶの高さとを連動させることができるので、当該ズームダイヤル１２の回転操作量に応じて優先度評価値ＰＶが低い方の音楽コンテンツＭＣから段階的に間引いていくことができ、ユーザが直感的に操作し得るユーザインタフェースを提供することができる。
【０１７１】
さらにオーディオ装置１は、ズームアウト表示されて表示レベルＬＶが高い状態で選択ダイヤル１１による選択操作がなされた場合、このときの表示レベルＬＶに基づいたコンテンツ列ＬＣにおける選択音楽コンテンツＭＣＳに隣接した音楽コンテンツＭＣを新たな選択音楽コンテンツＭＣＳとするため、全コンテンツ列ＬＣ０（図１５）上では選択音楽コンテンツＭＣＳから当該選択音楽コンテンツＭＣＳに最も近い抽出音楽コンテンツＭＣＡまで、除外音楽コンテンツＭＣＺを飛ばして移動したことになり、ズームイン表示されて表示レベルが低い場合と比較して、１回の選択操作による移動量を拡大することができる。
【０１７２】
またオーディオ装置１は、フォーカス枠ＦＣ１を介してユーザに選択音楽コンテンツＭＣＳを変更させる際、選択ダイヤル１１に対する選択操作とズームダイヤル１２によるズーム変更操作とを併用させることにより、選択操作のみの場合と比較して作業効率を大幅に向上させることができる。
【０１７３】
例えばオーディオ装置１は、図１６（Ａ）に示したようにコンテンツ表示部８に全表示レベルＬＶ１でサムネイル画像ＳＧを表示しフォーカス枠ＦＣ１により選択中の選択音楽コンテンツＭＣＳがコンテンツＪである状態からコンテンツＳに変更する際、選択ダイヤル１１に対する選択操作のみで選択音楽コンテンツＭＣＳを順次変更する場合、コンテンツＪ、Ｋ、Ｌ、……、Ｓのように９回の選択操作が必要となる。
【０１７４】
これに対してオーディオ装置１は、ズームダイヤル１２によるズーム変更操作を用いる場合、図１６（Ａ）に示した全表示レベルＬＶ１からズーム変更操作（この場合はズームアウト表示）により表示レベルＬＶを上げて図１６（Ｂ）に示した週表示レベルＬＶ２に切り換え、２回の選択操作により図２１（Ａ）に示すようにフォーカス枠ＦＣ１を当てる対象をコンテンツＪからコンテンツＲに遷移させ、ズームダイヤル１２によるズーム変更操作（この場合はズームイン表示）により表示レベルＬＶを下げて図２１（Ｂ）に示すように全表示レベルＬＶ１に切り換え、さらに選択ダイヤル１１に対する１回の選択操作により図２１（Ｃ）に示すようにフォーカス枠ＦＣ１を当てる対象をコンテンツＲから目的とするコンテンツＳに遷移させることができる。この場合オーディオ装置１では、２回のズーム変更操作と３回の移動操作の合計５回の操作で済み、操作回数を大幅に削減して短時間で所望の音楽コンテンツを選択させることができる。
【０１７５】
実際上オーディオ装置１は、ユーザによるズームダイヤル１２のダイヤル操作に応じて、年間ランキングの順位、月間ランキングの順位、週間ランキングの順位が１位の音楽コンテンツＭＣだけを選択し、その選択した音楽コンテンツＭＣに対応したサムネイル画像ＳＧだけを時系列順に並べてコンテンツ表示部８に表示するため、コンテンツ表示部８に表示すべきサムネイル画像ＳＧを年単位、月単位、週単位等に分けてズームアウト表示することができ、各表示レベルＬＶで選択音楽コンテンツＭＣＳを変更することと組み合わせることにより、例えば数千曲から数万曲といった膨大な数の音楽コンテンツＭＣの中からユーザ所望の音楽コンテンツＭＣを容易かつ短時間のうちに検索させることが可能となる。
【０１７６】
さらにオーディオ装置１は、コンテンツ表示部８において互いに隣接するサムネイル画像ＳＧの間に、全コンテンツ列ＬＣ０から間引かれた除外音楽コンテンツＭＣＺの存在を示す間引マークＭＴ（図１６（Ｂ））を表示することにより、互いに隣接するサムネイル画像ＳＧが示す２つの抽出音楽コンテンツＭＣＡの間に間引かれた除外音楽コンテンツＭＣＺが存在することをユーザに対して視覚的且つ直接的に認識させることができる。
【０１７７】
そのうえオーディオ装置１は、全コンテンツ列ＬＣ０から間引かれた除外音楽コンテンツＭＣＺの数に応じて間引マークＭＴを間引マークＭＴ１〜ＭＴ３のように変化させることにより、当該除外音楽コンテンツＭＣＺの概数もユーザに認識させることができる。これにより、ユーザに所望の音楽コンテンツＭＣを検索させる際の作業性を向上させることができ、一段と短時間のうちに検索処理を完了させることができる。
【０１７８】
またオーディオ装置１は、ユーザによりズーム変更操作がなされズームアウト表示が行われた場合、選択音楽コンテンツＭＣＳに関して優先度評価値ＰＶの値に関わらずフォーカス枠ＦＣ１により選択中のサムネイル画像ＳＧを無条件で表示すると共に、優先度評価値ＰＶが抽出閾値ＴＨＡ以上となる音楽コンテンツＭＣのサムネイル画像ＳＧを表示することにより、選択音楽コンテンツＭＣＳがズーム変更後の表示レベルＬＶに適さない場合であっても、当該選択音楽コンテンツＭＣＳのサムネイル画像ＳＧをユーザに見失わせることを回避することができる。
【０１７９】
そのうえオーディオ装置１は、選択音楽コンテンツＭＣＳが各種操作の操作対象として指定された場合、このときの表示レベルに応じたコンテンツ列ＬＣにおいて、当該選択音楽コンテンツＭＣＳとその次に位置する抽出音楽コンテンツＭＣＡとの間に含まれる全ての除外音楽コンテンツＭＣＺも操作対象として指定されたものと見なすことにより、例えばリピート再生や音楽コンテンツＭＣの削除を行う際に、複数の音楽コンテンツＭＣを一括して指示対象とすることができ、ユーザに音楽コンテンツＭＣを個別に選択させずに済む。
【０１８０】
以上の構成によれば、オーディオ装置１の制御部２０は、ユーザのズームダイヤル１２を介したズーム変更操作により設定された表示レベルＬＶに応じて抽出閾値ＴＨＡを選択し、選択音楽コンテンツＭＣＳを起点として全コンテンツ列ＬＣ０から優先度評価値ＰＶが当該抽出閾値ＴＨＡ以上である抽出音楽コンテンツＭＣＡを抽出し、選択音楽コンテンツＭＣＳのサムネイル画像ＳＧを中心に、抽出音楽コンテンツＭＣＡに対応したサムネイル画像ＳＧと除外音楽コンテンツＭＣＺの存在を示す間引マークＭＴとをコンテンツ表示部８に表示することにより、優先度評価値ＰＶが高くユーザに好まれる可能性が高い音楽コンテンツＭＣに対応したサムネイル画像ＳＧだけを、各音楽コンテンツＭＣの相対的な順序を維持したまま、ユーザが容易に視認し得る程度の大きさで提示することができる。
【０１８１】
（８）他の実施の形態
なお上述の実施の形態においては、図１６（Ｂ）に示したように、間引きマークＭＴを１〜３本の縦直線が横方向に並列されたような形状としてサムネイル画像ＳＧ同士の間に表示するようにした場合について述べたが、本発明はこれに限らず、当該間引マークＭＴを他の種々の形状として各サムネイル画像ＳＧの近傍における他の種々の位置に表示するようにしても良い。
【０１８２】
例えば図２２（Ａ）に示すように、各サムネイル画像ＳＧの下方に１〜３本の横直線が縦方向に並列されたような形状の間引マークＭＴを表示し、除外音楽コンテンツＭＣＺの数に応じてその本数を変化させるようにしたり、図２２（Ｂ）に示すように、各サムネイル画像ＳＧの下方に所定形状の１〜３個の図形（例えば丸印や三角印等）でなる間引マークＭＴを表示し、除外音楽コンテンツＭＣＺの数に応じてその個数を変化させるようにしたり、或いは図２２（Ｃ）に示すように、各サムネイル画像ＳＧの奥側に他のサムネイル画像ＳＧが重ねられているような視覚効果を与える間引きマークＭＴを表示し、除外音楽コンテンツＭＣＺの数に応じてその重なる枚数を変化させるようにしても良い。
【０１８３】
また図２２（Ｄ）に示すように、各サムネイル画像ＳＧの間に所定形状の図形（例えば矩形）でなる間引マークＭＴを表示し、除外音楽コンテンツＭＣＺの数に応じてその色や明るさ等を変化させるようにしたり、図２２（Ｅ）に示すように、各サムネイル画像ＳＧの間に１本の縦直線でなる間引マークＭＴを表示し、除外音楽コンテンツＭＣＺの数に応じてその長さを変化させるようにしたり、或いは図２２（Ｆ）に示すように、所定形状の図形（例えば円）でなる間引きマークＭＴを表示し、除外音楽コンテンツＭＣＺの数に応じてそのサイズを変化させるようにしても良い。さらに、このとき当該図形の大きさに応じてサムネイル画像ＳＧ同士の間隔を変化させるようにしても良い。
【０１８４】
さらに上述した実施の形態においては、間引マークＭＴを構成する縦直線の本数によって除外音楽コンテンツＭＣＺの概数を表すようにした場合について述べたが、本発明はこれに限らず、例えば図２３（Ａ）に示すように、サムネイル画像ＳＧの下方に数字でなる間引マークＭＴを表し、除外音楽コンテンツＭＣＺの数を当該数字によって直接的に表すようにしたり、図２３（Ｂ）に示すように、縦直線と当該数字とを組み合わせて間引マークＭＴとするようにしても良い。
【０１８５】
さらに上述した実施の形態においては、コンテンツ表示部８に表示するサムネイル画像ＳＧの大きさを揃えるようにした場合について述べたが、本発明はこれに限らず、例えば図２１（Ｂ）と対応する図２４（Ａ）に示すように、縦方向の幅が縮められたサムネイル画像ＳＧＰや横方向の幅が縮められたサムネイル画像ＳＧＲのように各サムネイル画像ＳＧの縦横比を変化させるようにしても良い。
【０１８６】
またこの場合、図２４（Ａ）に示したようにコンテンツ表示部８における各サムネイル画像ＳＧの中心位置を固定させる以外にも、図２４（Ｂ）に示すように、サムネイル画像ＳＧ同士の間隔を一定幅に揃えるようにしても良い。
【０１８７】
さらに上述した実施の形態においては、フォーカス枠ＦＣ１をコンテンツ表示部８のほぼ中央に固定的に表示するようにした場合について述べたが、本発明はこれに限らず、例えば当該フォーカス枠ＦＣ１をコンテンツ表示部８の右端又は左端のサムネイル画像ＳＧの位置に表示するようにしても良く、また当該フォーカス枠ＦＣ１を固定せず、選択ダイヤル１１に対する選択操作に応じて左右に移動させるようにしても良い。
【０１８８】
さらに上述した実施の形態においては、（２）式に従い図１４に示したようなデータ構造を有する優先度評価値ＰＶを抽出閾値ＴＨＡと比較することにより抽出音楽コンテンツＭＣＡを抽出するようにした場合について述べたが、本発明はこれに限らず、他の種々の算出手法により算出された評価値を用いて抽出音楽コンテンツＭＣＡを抽出するようにしても良い。
【０１８９】
さらに上述した実施の形態においては、コンテンツ表示部８に除外音楽コンテンツＭＣＺに応じた間引マークＭＴを表示するようにした場合について述べたが、本発明はこれに限らず、当該間引マークＭＴを表示しないようにしても良い。
【０１９０】
さらに上述した実施の形態においては、表示レベルＬＶとして、全表示レベルＬＶ１、週表示レベルＬＶ２、月表示レベルＬＶ３、年表示レベルＬＶ４及び最高評価表示レベルＬＶ５の５段階に切り換え得るようにした場合について述べたが、本発明はこれに限らず、例えば４段階以下や６段階以上の表示レベルに切り換え得るようにしても良い。
【０１９１】
この場合、全表示レベルＬＶ１、週表示レベルＬＶ２、月表示レベルＬＶ３、年表示レベルＬＶ４及び最高評価表示レベルＬＶ５以外にも、例えば各年度における年間ランキング１位及び２位の音楽コンテンツＭＣを抽出してそのサムネイル画像ＳＧを表示するような表示レベルＬＶや、１０年ごとに区切った各年代における売り上げ枚数が１位となる音楽コンテンツＭＣを抽出してそのサムネイル画像ＳＧを並べて表示するような表示レベルＬＶ等、種々の表示レベルＬＶを用意しておくようにしても良い。
【０１９２】
さらに上述した実施の形態においては、閾値ＴＨ１〜ＴＨ５を抽出条件として用いながら全コンテンツ列ＬＣ０から抽出音楽コンテンツＭＣＡを抽出するようにした場合について述べたが、本発明はこれに限らず、例えば当該閾値ＴＨ１〜ＴＨ５を間引き条件として用いながら全コンテンツ列ＬＣ０から除外音楽コンテンツＭＣＺを間引くようにしても良い。
【０１９３】
さらに上述した実施の形態においては、間引マークＭＴを除外音楽コンテンツＭＣＺの数に応じて変化させるようにした場合について述べたが、本発明はこれに限らず、例えば除外音楽コンテンツＭＣＺの数に関わらず間引マークＭＴを変化させないようにしても良い。
【０１９４】
さらに上述した実施の形態においては、全コンテンツ列ＬＣ０（図１５）のように全ての音楽コンテンツＭＣを発売年月日順に並べるようにした場合について述べたが、本発明はこれに限らず、例えば曲名のアルファベット順、５０音順、ギリシャ文字順、総売上枚数順やテンポ順等の各種順序に従って全ての音楽コンテンツＭＣを並べるようにしても良い。
【０１９５】
さらに上述した実施の形態においては、コンテンツ表示部８に５枚のサムネイル画像ＳＧを表示するようにした場合について述べたが、本発明はこれに限らず、当該コンテンツ表示部８の大きさや形状等に応じて４枚以下や６枚以上のサムネイル画像ＳＧを表示するようにしても良い。この場合、ズーム変更操作がなされて表示レベルＬＶを変更するときにサムネイル画像ＳＧの大きさを維持するようにすれば良い。
【０１９６】
さらに上述した実施の形態においては、コンテンツ表示部８にサムネイル画像ＳＧを５枚横に並べて表示すると共に、時間軸バー表示部ＴＢ１及びＴＢ２についても横に並べて表示するようにした場合について述べたが、本発明はこれに限らず、例えば図２５に示すようにコンテンツ表示部８や時間軸バー表示部ＴＢ１及びＴＢ２等についても全て縦に配置し、それに合わせてサムネイル画像ＳＧを縦に並べて表示すると共に間引きマークＭＴを各サムネイル画像ＳＧの間に表示するようにしても良い。
【０１９７】
さらに上述した実施の形態においては、フロントパネル７に対して時間軸バー表示部ＴＢ１及びＴＢ２（図５等）を直線状に配置するようにした場合について述べたが、本発明はこれに限らず、例えば図２６に示すように中央下部に設けられた選択ダイヤル１１及びズームダイヤル１２を中心とし、その周囲に沿って湾曲状に時間軸バー表示部ＴＢ３及びＴＢ４を配置するようにしても良い。この場合、選択ダイヤル１１及びズームダイヤル１２に対するダイヤル操作の動きと、フォーカス枠ＦＣ２の動きとが概ね一致することになるので、ユーザの操作感を向上させることができる。
【０１９８】
さらに上述した実施の形態においては、音楽コンテンツＭＣを蓄積して再生するオーディオ装置１に本発明を適用するようにした場合について述べたが、これに限らず、例えば動画像データや静止画像データ、テキストデータ等の種々のコンテンツデータを蓄積して再生するコンテンツ再生装置に本発明を適用するようにしても良い。
【０１９９】
或いは、地図上に設定された出発地から目的地までの経路を案内するナビゲーション装置に本発明を適用するようにしても良い。例えば、出発地から目的地まで至る案内経路付近に存在するガソリンスタンドやレストラン等を経路順にアイコンで表示する場合に、ズーム変更操作により、表示するアイコンを間引くようにしても良い。この場合、例えば案内経路からの距離の近さに応じて優先度評価値ＰＶの値を増加させるようにし、又はユーザが利用する頻度の高さに応じて当該優先度評価値ＰＶの値を増加させる等すれば良い。
【０２００】
さらには、パーソナルコンピュータ等のようにデータをファイル単位で管理し、複数のファイルをフォルダに分類して当該フォルダを階層化して管理する情報処理装置に本発明を適用するようにしても良い。この場合、ズーム変更操作に応じてフォルダの階層を切り換えるようにし、切り換えられた階層において各フォルダを代表する１つのファイルをそれぞれ抽出して画面上に整列すれば良い。この場合、ファイルの更新日時の新しさに応じて優先度評価値ＰＶの値を増加させ、或いはファイルの参照頻度の高さに応じて優先度評価値ＰＶの値を増加させる等して、当該優先度評価値ＰＶを用いて画面上に表示するファイルを抽出するようにすれば良い。
【０２０１】
さらに上述した実施の形態においては、回転式のダイヤルでなる選択ダイヤル１１（図１）及びズームダイヤル１２を介してユーザに選択操作及びズーム変更操作を行わせるようにした場合について述べたが、本発明はこれに限らず、例えば操作ボタン群９の各ボタンと同様のプッシュ式でなる選択ボタン及びズームボタンを介してユーザに選択操作及びズーム変更操作を行わせるようにしても良い。
【０２０２】
さらに上述した実施の形態においては、ハードウェア構成でなるオーディオ装置１に本発明を適用するようにした場合について述べたが、本発明はこれに限らず、例えばパーソナルコンピュータや携帯電話機等の音楽再生機能及び表示機能を有する電子機器においてオーディオプレーヤプログラムやサムネイル画像表示プログラム等を実行することにより、その画面上にコンテンツ表示部８と同等の機能を有するコンテンツ表示部を表示させ、当該コンテンツ表示部内にサムネイル画像ＳＧを間引いて表示するようにしても良い。この場合、所定のキー操作やマウスによる操作を選択操作及びズーム変更操作として受け付けるようにすれば良い。
【０２０３】
また、オーディオプレーヤプログラムやサムネイル画像表示プログラム等の格納媒体としては、制御部２０のＲＯＭ２０Ｂやハードディスクドライブ２２等に予め記憶させておく他、光ディスク４や小型メモリーカード６等の外部記憶媒体からハードディスクドライブ２２にインストールするようにしても良い。また、オーディオプレーヤプログラムやサムネイル画像表示プログラム等をＵＳＢ（Universal Serial Bus）やＥｔｈｅｒｎｅｔ（登録商標）等の有線方式の通信ケーブル、或いはＩＥＥＥ（Institute of Electrical and Electronics Engineers）８０２．１１ａ／ｂ／ｇ等の無線ＬＡＮ（Local Area Network）を介して取得するようにしても良い。
【０２０４】
さらに上述した実施の形態においては、抽出条件設定手段としての表示条件設定部２０Ｄと、抽出データ表示手段としての配置部２０Ｅとによってデータ表示装置としてのオーディオ装置１を構成する場合について述べたが、本発明はこれに限らず、その他種々の回路構成でなる抽出条件設定手段と、抽出データ表示手段とによってデータ表示装置を構成するようにしても良い。
【産業上の利用可能性】
【０２０５】
本発明は、種々のコンテンツを再生する種々のコンテンツ再生装置でも利用できる。
【図面の簡単な説明】
【０２０６】
【図１】オーディオ装置の外観構成を示す略線的斜視図である。
【図２】オーディオ装置の回路構成を示す略線的ブロック図である。
【図３】オーディオ装置の機能構成を示す略線的ブロック図である。
【図４】データ管理テーブルの構成を示す略線図である。
【図５】全曲表示モードにおけるフロントパネルの表示内容を示す略線図である。
【図６】フォーカス枠の構成を示す略線図である。
【図７】音楽コンテンツの選択表示の説明に供する略線図である。
【図８】ズーム変更表示の説明に供する略線図である。
【図９】ズームアウト表示後における音楽コンテンツの選択表示の説明に供する略線図である。
【図１０】ズームイン表示の説明に供する略線図である。
【図１１】アーティスト別選択表示の説明に供する略線図である。
【図１２】サムネイル画像とコンテンツアイコンとの連携表示処理手順を示すフローチャートである。
【図１３】メタデータの構成を示す略線図である。
【図１４】優先度のデータ構造を示す略線図である。
【図１５】全コンテンツ列の構成を示す略線図である。
【図１６】サムネイル画像及び間引きマークの表示の説明に供する略線図である。
【図１７】選択コンテンツの変更の説明に供する略線図である。
【図１８】ズーム変更操作による表示更新処理手順を示すフローチャートである。
【図１９】サムネイル画像表示更新処理手順を示すフローチャートである。
【図２０】選択操作による表示更新処理手順を示すフローチャートである。
【図２１】選択コンテンツの変更の説明に供する略線図である。
【図２２】他の実施の形態による間引マークの表示例（１）を示す略線図である。
【図２３】他の実施の形態による間引マークの表示例（２）を示す略線図である。
【図２４】他の実施の形態によるサムネイル画像の表示例を示す略線図である。
【図２５】他の実施の形態におけるフロントパネルの構成（１）を示す略線図である。
【図２６】他の実施の形態におけるフロントパネルの構成（２）を示す略線図である。
【符号の説明】
【０２０７】
１……オーディオ装置、７……フロントパネル、８……コンテンツ表示部、９……操作ボタン群、１１……選択ダイヤル、１２……ズームダイヤル、２０……制御部、２２……ハードディスクドライブ、２２Ａ……コンテンツ蓄積部、２２Ｂ……コンテンツメタデータ蓄積部、２６……表示部、２７……操作入力部、２７Ａ……入力インタフェース。
【図１】
2007164298.tif 000003
【図２】
2007164298.tif 000004
【図３】
2007164298.tif 000005
【図４】
2007164298.tif 000006
【図１２】
2007164298.tif 000007
【図１３】
2007164298.tif 000008
【図１４】
2007164298.tif 000009
【図１５】
2007164298.tif 000010
【図１６】
2007164298.tif 000011
【図１７】
2007164298.tif 000012
【図１８】
2007164298.tif 000013
【図１９】
2007164298.tif 000014
【図２０】
2007164298.tif 000015
【図２１】
2007164298.tif 000016
【図２２】
2007164298.tif 000017
【図２３】
2007164298.tif 000018
【図２４】
2007164298.tif 000019
【図５】
2007164298.tif 000020
【図６】
2007164298.tif 000021
【図７】
2007164298.tif 000022
【図８】
2007164298.tif 000023
【図９】
2007164298.tif 000024
【図１０】
2007164298.tif 000025
【図１１】
2007164298.tif 000026
【図２５】
2007164298.tif 000027
【図２６】
2007164298.tif 000028